(57)【特許請求の範囲】
【請求項１】
各種データ処理を実行するＣＰＵが搭載されている本体と、該本体にデータを入力するキーボードと、該本体からの指示に従って画面表示する表示装置と、を備えている情報処理装置において、
前記キーボードは、
前記本体と接続するための接続端面と、
それぞれ無線で信号の送信を行い、互いに異なる位置で且つ異なる方向に向けられている複数の入力側送信手段と、
を有し、
前記本体は、
前記キーボードと接続するための接続端面と、
前記入力側送信手段からの無線信号の受信を行う本体側受信手段と、
を有し、
前記本体の前記接続端面には、前記本体側受信手段が設けられ、前記キーボードの前記接続端面には、複数の前記入力側送信手段のうちの１つの常使用送信手段が、前記キーボードが前記本体に接続された際に前記本体側受信手段と向かい合う位置に設けられ、
前記キーボードは、さらに、
前記本体に接続されているか否かを検出する接続検知手段と、
前記検知手段により前記本体への接続が検知されると、複数の前記入力側送信手段のうち前記常使用送信手段のみを信号送信可能な状態にし、前記接続検知手段により前記本体からの離脱が検知されると、複数の前記入力側送信手段の全てを信号送信可能な状態にする電源制御手段と、
を有することを特徴とする情報処理装置。
【請求項２】
請求項１に記載の情報処理装置において、
複数の前記本体側受信手段を有し、
複数の前記本体側受信手段は、それぞれ、互いに異なる位置に設けられていることを特徴とする情報処理装置。
【請求項３】
請求項２に記載の情報処理装置において、
前記本体は、正面と左右両側面とが形成されている本体カバーを有し、
複数の前記本体側受信手段は、前記本体カバーの正面、左側面、右側面に、それぞれ設けられていることを特徴とする情報処理装置。
【請求項４】
請求項３に記載の情報処理装置において、
前記本体カバーの前記左側面及び前記右側面には、該左側面及び該右側面に設けられている前記本体側受信手段の、前記正面側方向からの無線信号の受信性能を高める信号指向ガイド部が形成されていることを特徴とする情報処理装置。
【請求項５】
請求項２に記載の情報処理装置において、
前記表示装置は、表示画面の縁を覆い、該表示画面と同じ側の正面が形成されている表示装置カバーを有し、
複数の前記本体側受信手段の少なくとも一つは、前記表示装置カバーの前記正面に設けられていることを特徴とする情報処理装置。
【請求項６】
請求項１に記載の情報処理装置において、
複数の前記入力側送信手段は、前記無線信号として光信号を送信する入力側光信号送信手段であり、
前記本体側受信手段は、前記無線信号として光信号を受信する本体側光信号受信手段であり、
前記本体側光信号受信手段は、
前記光信号を受ける光入力部及び該光入力部からの光信号を出力する光出力部を有する光ガイドと、該光ガイドの光出力部からの該光信号を受けて電気信号に変換する受光素子と、を有することを特徴とする情報処理装置。
【請求項７】
請求項６に記載の情報処理装置において、
前記光ガイドは、前記光入力部が少なくとも一次元的な広がりを有しており、該光入力部のうちのいずれの位置で受けた前記光信号も前記光出力部に導けるよう形成されていることを特徴とする情報処理装置。
【請求項８】
請求項６及び７のいずれか一項に記載の情報処理装置において、
前記本体側光信号受信手段は、複数の前記光ガイドを有し、
複数の前記光ガイドの各光入力部は、互いに異なる位置に設けられ、複数の前記光ガイドの各光出力部は、各光出力部からの光信号を前記受光素子が受光できる位置に設けられていることを特徴とする情報処理装置。
【請求項９】
請求項７及び８のいずれか一項に記載の情報処理装置において、
前記本体は、正面が形成されている本体カバーを有し、
前記光ガイドの少なくとも一次元的な広がりを有する前記光入力部は、前記本体カバーの少なくとも前記正面から露出していることを特徴とする情報処理装置。
【請求項１０】
請求項７及び８に記載の情報処理装置において、
前記表示装置は、表示画面の縁を覆い、該表示画面と同じ側の正面が形成されている表示装置カバーを有し、
前記光ガイドの少なくとも一次元的な広がりを有する前記光入力部は、前記表示装置カバーの少なくとも前記正面から露出していることを特徴とする情報処理装置。
【請求項１１】
請求項１から１０のいずれか一項に記載の情報処理装置において、
前記キーボードは、該キーボードの外部からの一連の操作に応じたデータを複数の入力側送信手段から送信される無線信号に含ませ、同じ該データを含む無線信号を各入力側送信手段から、複数回送信させる信号制御手段を有することを特徴とする情報処理装置。
【請求項１２】
各種データ処理を実行するＣＰＵが搭載されている本体と、該本体にデータを入力する入力装置と、該本体からの指示に従って画面表示する表示装置と、を備えている情報処理装置において、
前記本体又は前記表示装置と、前記入力装置とのち、一方は、
無線で信号の送信を行う送信手段、及び、無線で信号を受信し、該送信手段と一体的に又は隣接して設けられている受信手段で、構成される一以上の受送信手段と、
一以上の前記受送信手段のうちのいずれかの前記受信手段が無線信号を受信すると、該受信手段とで前記受送信手段を構成する前記送信手段に対して、受信成立信号を送信させる信号制御手段と、
を有し、
前記本体又は前記表示装置と、前記入力装置とのうち、他方は、
無線で信号の送信を行う送信手段、及び、無線で信号を受信し、該送信手段と一体的に又は隣接して設けられている受信手段で、構成される複数の受送信手段と、
前記他方の複数の前記受送信手段うちのいずれか一つ又は複数が前記受信成立信号を受信すると、予め定められたルールに従って、前記他方の一つの受送信手段と前記一方の前記受送信手段との間で通信が成立したものとして、該他方の一つの受送信手段が有している該送信手段への電源供給を継続し、該他方の他の送信手段への電源供給を断つ電源制御手段と、
を有していることを特徴とする情報処理装置。
【請求項１３】
請求項１２に記載の情報処理装置において、
前記受信成立信号は、前記他方の前記受送信手段が送信した信号と同じ信号であることを特徴とする情報処理装置。
【請求項１４】
請求項１２及び１３のいずれか一項に記載の情報処理装置において、
前記他方の複数の前記受送信手段が前記受信成立信号を受信したときの前記ルールは、該他方の複数の該受送信手段のうち最先に該受信成立信号を受信したもの、又は最も強い受信成立信号を受信したものを、前記一方の前記受送信手段との間で通信が成立したとするルールであることを特徴とする情報処理装置。
【請求項１５】
請求項１２から１４のいずれか一項に記載の情報処理装置において、
前記他方は、前記電源制御手段が該他方の一つの受送信手段と前記一方の前記受送信手段との間で通信が成立したものとしたときに、該他方の他の受送信手段が他の機器からの無線信号を受信すると、該一つの受送信手段と、該他の機器からの無線信号を受信した該他の受送信手段とがそれぞれ受送信する信号を独立して制御する信号制御手段を有していることを特徴とする情報処理装置。
【請求項１６】
請求項１５に記載の情報処理装置において、
前記他方の前記信号制御手段は、前記電源制御手段が該他方の一つの受送信手段と前記一方の前記受送信手段との間で通信が成立したものとし、該他方の他の受送信手段が他の機器からの無線信号を受信し、該他の受送信手段の送信手段が前記他の機器へ信号を送信する必要性が生じたとき、前記電源制御手段に対して該他の受送信手段の前記送信手段への電源供給を再開させることを特徴とする情報処理装置。
【請求項１７】
請求項１２から１６のいずれか一項に記載の情報処理装置において、
前記他方の複数の前記受送信手段のうち、少なくとも一つは、移動又は方向変換可能に設けられていることを特徴とする情報処理装置。
【請求項１８】
請求項１２から１７のいずれか一項に記載の情報処理装置において、
前記他方は、該他方の受送信手段から送信される信号中に、該他方の識別コードを設定する識別コード設定手段を有し、
前記一方は、前記他方の前記識別コードを設定する識別コード設定手段を有し、
前記一方の信号制御手段は、該一方の受送信手段が受信した信号中に、該一方の前記識別コード設定手段で設定された識別コードと同一の識別コードがあるか否かを判定し、同一の識別コードがあれば、該一方の受送信手段が受信した信号を処理すると共に、前記受信成立信号を該一方の受送信手段に送信させることを特徴とする情報処理装置。
【請求項１９】
請求項１２から１８のいずれか一項に記載の情報処理装置において、
前記入力装置は、キーボードであり、
前記本体及び前記キーボードは、互いに接続し合うための接続端面をそれぞれ有し、
前記本体の前記接続端面には、前記受送信手段が設けられ、前記キーボードの前記接続端面には、複数の前記入力側送信手段のうちの１つの常使用受送信手段が、前記キーボードが前記本体に接続された際に前記本体の前記受送信手段と向かい合う位置に設けられ、
前記キーボードは、
前記本体に接続されているか否かを検出する接続検知手段と、
前記検知手段により前記本体への接続が検知されると、複数の前記受送信手段のうち前記常使用受送信手段のみを信号送信可能な状態にし、前記接続検知手段により前記本体からの離脱が検知されると、複数の前記受送信手段の全てを信号送信可能な状態にする電源制御手段と、
を備えていることを特徴とする情報処理装置。
【請求項２０】
請求項１２から１８のいずれか一項に記載の情報処理装置において、
前記入力装置は、キーボードであり、
前記本体及び前記キーボードは、互いに接続し合うための接続端面をそれぞれ有し、
前記本体は、
前記ＣＰＵを含む各種動作部品に電力を供給する電源回路と、
前記電源回路からの電力を前記キーボードに供給するための給電端子と、
を備え、
前記キーボードは、
前記キーボードに搭載されている各種動作部品に電力を供給する１次電池が収納される１次電池収納部、及び、各種動作部品に電力を供給する充電可能な２次電池と、
前記２次電池に接続されていると共に、前記本体に接続された際、前記本体の前記給電端子に接続される受電端子と、
前記１次電池と前記２次電池とのうち、いずれか一方のみを前記キーボードに搭載されている各種動作部品に電力供給可能な状態にする切換手段と、
前記１次電池と前記２次電池とのうち、予め定められた一方の電池を優先的に使用するよう前記切換手段に指示すると共に、前記１次電池及び前記２次電池に蓄えられている電力量を検知し、前記一方の電池の電力量が予め定められた電力量以下になると、他方の電池を使用するよう前記切換手段に指示する電源制御手段と、
を備えていることを特徴とする情報処理装置。
【請求項２１】
各種データ処理を実行するＣＰＵが搭載されている本体に対して、データを入力する入力装置において、
無線で信号の送信を行う送信手段、及び、無線で信号を受信し、該送信手段と一体的に又は隣接して設けられている受信手段で、構成される複数の受送信手段と、
複数の前記受送信手段うちのいずれか一つ又は複数が前記本体からの受信成立信号を受信すると、予め定められたルールに従って、一つの受送信手段と前記本体との間で通信が成立したものとして、該一つの受送信手段が有している該送信手段への電源供給を継続し、他の受送信手段の送信手段への電源供給を断つ電源制御手段と、
を有していることを特徴とする入力装置。
【請求項２２】
請求項２１に記載の入力装置において、
前記複数の受送信手段が有している複数の送信手段が送信する信号中に、前記入力装置の識別コードを設定する入力側識別コード設定手段を有し、
前記複数の送信手段は、それぞれ無線で信号の送信を行い、互いに異なる位置で且つ異なる方向に向けられていることを特徴とする入力装置。
【請求項２３】
請求項２１及び２２のいずれか一項に記載の入力装置は、キーボードであることを特徴とする入力装置。
【請求項２４】
請求項２１及び２２のいずれか一項に記載の入力装置は、マウスであることを特徴とする入力装置。
【発明の詳細な説明】
【０００１】
【発明の属する技術分野】
本発明は、情報処理装置、その入力装置及び表示装置に関し、特に、ＣＰＵが搭載されている本体又は表示装置と、入力装置との間の通信技術に関する。
【０００２】
【従来の技術】
従来、パーソナルコンピュータと呼ばれている情報処理装置としては、例えば、特開平6−195163号公報に記載されているものがある。
【０００３】
この情報処理装置は、CPUを有する本体と、この本体とケーブル接続されるキーボードと、キーボードとの間で無線で信号を受送信するコードレス・キーユニットとを有して構成されている。コードレス・キーユニットには、赤外線信号等を送信する一つの送信部が設けられ、キーボードには、赤外線信号等を受信する一つの受信部が設けられている。コードレス・キーユニットの一つの送信部からの信号は、キーボードの一つの受信部で受信され、ケーブルを介して本体に送られる。
【０００４】
また、特開平5−108257号公報に記載されている情報処理装置は、赤外線信号を送信する一つの送信部を有するマウスと、赤外線信号を受信する一つの受信部を有する情報処理装置本体とを備えている。
【０００５】
以上の情報処理装置は、いずれも、情報処理装置本体と、入力手段を構成するキーボードやマウス等との間での信号の受送信に関して、コードレス化を図ったものである。
【０００６】
ところで、情報処理装置は、近年、例えば、図４０に示すようなの環境で使用されている。情報処理装置として、ディスクトップ型コンピュータ１を用いる場合、表示装置２がＣＲＴであることが多いため、装置の奥行きが大きく、机上の占有率が高くなる傾向にある。また、例えば、営業マンや証券マン等は、他の場所でデータ整理やデータ開示等を行なうことが度々あるため、別途、携帯型コンピュータ３を用いるものも多い。このため、それ自体が大きいディスクトップ型コンピュータ１の他に、携帯型コンピュータ３を机の上に置くと、さらに、書類や筆記用具等を置くと、机上で使用者が有効に使える面積が著しく狭くなってしまう上に、机上が乱雑になってしまう。
【０００７】
【発明が解決しようとする課題】
前述したように、情報処理装置の周りには、各種機器、書類、筆記具等が乱雑に置かれることが多い。このため、従来技術では、本体とコードレス化した入力手段との間に、書籍等が介在した場合等において、本体と入力手段との間の通信障害を起こす恐れがあるという問題点がある。
【０００８】
本発明は、このような従来の問題点に着目して、情報処理装置本体または表示装置と、入力装置との間での通信障害を最小限に抑えることができる情報処理装置、その入力装置及び表示装置に関する。
【０００９】
【課題を解決するための手段】
前記目的を達成するための第１の情報処理装置は、
各種データ処理を実行するＣＰＵが搭載されている本体と、該本体にデータを入力するキーボードと、該本体からの指示に従って画面表示する表示装置と、を備えている情報処理装置において、
前記キーボードは、
前記本体と接続するための接続端面と、
それぞれ無線で信号の送信を行い、互いに異なる位置で且つ異なる方向に向けられている複数の入力側送信手段と、
を有し、
前記本体は、
前記キーボードと接続するための接続端面と、
前記入力側送信手段からの無線信号の受信を行う本体側受信手段と、
を有し、
前記本体の前記接続端面には、前記本体側受信手段が設けられ、前記キーボードの前記接続端面には、複数の前記入力側送信手段のうちの１つの常使用送信手段が、前記キーボードが前記本体に接続された際に前記本体側受信手段と向かい合う位置に設けられ、
前記キーボードは、さらに、
前記本体に接続されているか否かを検出する接続検知手段と、
前記検知手段により前記本体への接続が検知されると、複数の前記入力側送信手段のうち前記常使用送信手段のみを信号送信可能な状態にし、前記接続検知手段により前記本体からの離脱が検知されると、複数の前記入力側送信手段の全てを信号送信可能な状態にする電源制御手段と、
を有することを特徴とするものである。
【００１０】
前記目的を達成するための第２の情報処理装置は、
前記第１の情報処理装置において、
複数の前記本体側受信手段を有し、
複数の前記本体側受信手段は、それぞれ、互いに異なる位置に設けられていることを特徴とするものである。
【００１１】
前記目的を達成するための第３の情報処理装置は、
前記第２の情報処理装置において、
前記本体は、正面と左右両側面とが形成されている本体カバーを有し、
複数の前記本体側受信手段は、前記本体カバーの正面、左側面、右側面に、それぞれ設けられていることを特徴とするものである。
【００１２】
前記目的を達成するための第４の情報処理装置は、
前記第３の情報処理装置において、
前記本体カバーの前記左側面及び前記右側面には、該左側面及び該右側面に設けられている前記本体側受信手段の、前記正面側方向からの無線信号の受信性能を高める信号指向ガイド部が形成されていることを特徴とするものである。
【００１３】
前記目的を達成するための第５の情報処理装置は、
前記第２の情報処理装置において、
前記表示装置は、表示画面の縁を覆い、該表示画面と同じ側の正面が形成されている表示装置カバーを有し、
複数の前記本体側受信手段の少なくとも一つは、前記表示装置カバーの前記正面に設けられていることを特徴とするものである。
【００１４】
前記目的を達成するための第６の情報処理装置は、
前記第１の情報処理装置において、
複数の前記入力側送信手段は、前記無線信号として光信号を送信する入力側光信号送信手段であり、
前記本体側受信手段は、前記無線信号として光信号を受信する本体側光信号受信手段であり、
前記本体側光信号受信手段は、
前記光信号を受ける光入力部及び該光入力部からの光信号を出力する光出力部を有する光ガイドと、該光ガイドの光出力部からの該光信号を受けて電気信号に変換する受光素子と、を有することを特徴とするものである。
【００１５】
前記目的を達成するための第７の情報処理装置は、
前記第６の情報処理装置において、
前記光ガイドは、前記光入力部が少なくとも一次元的な広がりを有しており、該光入力部のうちのいずれの位置で受けた前記光信号も前記光出力部に導けるよう形成されていることを特徴とするものである。
【００１６】
前記目的を達成するための第８の情報処理装置において、
前記第６又は第７の情報処理装置において、
前記本体側光信号受信手段は、複数の前記光ガイドを有し、
複数の前記光ガイドの各光入力部は、互いに異なる位置に設けられ、複数の前記光ガイドの各光出力部は、各光出力部からの光信号を前記受光素子が受光できる位置に設けられていることを特徴とするものである。
【００１７】
前記目的を達成するための第９の情報処理装置は、
前記第７又は第８の情報処理装置において、
前記本体は、正面が形成されている本体カバーを有し、
前記光ガイドの少なくとも一次元的な広がりを有する前記光入力部は、前記本体カバーの少なくとも前記正面から露出していることを特徴とするものである。
【００１８】
前記目的を達成するための第１０の情報処理装置は、
前記第７又は第８の情報処理装置において、
前記表示装置は、表示画面の縁を覆い、該表示画面と同じ側の正面が形成されている表示装置カバーを有し、
前記光ガイドの少なくとも一次元的な広がりを有する前記光入力部は、前記表示装置カバーの少なくとも前記正面から露出していることを特徴とするものである。
【００１９】
前記目的を達成するための第１１の情報処理装置は、
前記第１から第１０のいずれか一つの情報処理装置において、
前記キーボードは、該キーボードの外部からの一連の操作に応じたデータを複数の入力側送信手段から送信される無線信号に含ませ、同じ該データを含む無線信号を各入力側送信手段から、複数回送信させる信号制御手段を有することを特徴とするものである。
【００２０】
前記目的を達成するための第１２の情報処理装置は、
各種データ処理を実行するＣＰＵが搭載されている本体と、該本体にデータを入力するキーボードと、該本体からの指示に従って画面表示する表示装置と、を備えている情報処理装置において、
前記キーボードは、
前記本体と接続するための接続端面と、
それぞれ無線で信号の送信を行い、互いに異なる位置で且つ異なる方向に向けられている複数の入力側送信手段と、
を有し、
前記本体は、
前記キーボードと接続するための接続端面と、
前記入力側送信手段からの無線信号の受信を行う本体側受信手段と、
前記ＣＰＵを含む各種動作部品に電力を供給する電源回路と、
前記電源回路からの電力を前記キーボードに供給するための給電端子と、
を有し、
前記キーボードは、さらに、
前記キーボードが有している各種動作部品に電力を供給する１次電池が収納される１次電池収納部、及び、各種動作部品に電力を供給する充電可能な２次電池と、
前記２次電池に接続されていると共に、前記本体に接続された際、前記本体の前記給電端子に接続される受電端子と、
前記１次電池と前記２次電池とのうち、いずれか一方のみを前記キーボードに搭載されている各種動作部品に電力供給可能な状態にする切換手段と、
前記１次電池と前記２次電池とのうち、予め定められた一方の電池を優先的に使用するよう前記切換手段に指示すると共に、前記１次電池及び前記２次電池に蓄えられている電力量を検知し、前記一方の電池の電力量が予め定められた電力量以下になると、他方の電池を使用するよう前記切換手段に指示する電源制御手段と、
を有することを特徴とするものである。
【００２１】
前記目的を達成するための第１３の情報処理装置は、
前記第１から第１２のいずれか一つの情報処理装置において、
前記キーボードは、
前記入力側送信手段が送信する信号中に、前記キーボードの識別コードを設定する入力側識別コード設定手段を有し、
前記本体は、
前記キーボードの前記識別コードを設定する本体側識別コード設定手段と、
前記本体側受信手段が受信した信号中に、前記本体側識別コード設定手段で設定された識別コードと同一の識別コードがあるか否かを判定し、同一の識別コードがあれば、該本体側受信手段が受信した信号を処理する信号制御手段と、
を有することを特徴とするものである。
【００２２】
前記目的を達成するための第１４の情報処理装置は、
各種データ処理を実行するＣＰＵが搭載されている本体と、該本体にデータを入力する入力装置と、該本体からの指示に従って画面表示する表示装置と、を備えている情報処理装置において、
前記本体又は前記表示装置と、前記入力装置とのち、一方は、
無線で信号の送信を行う送信手段、及び、無線で信号を受信し、該送信手段と一体的に又は隣接して設けられている受信手段で、構成される一以上の受送信手段と、
一以上の前記受送信手段のうちのいずれかの前記受信手段が無線信号を受信すると、該受信手段とで前記受送信手段を構成する前記送信手段に対して、受信成立信号を送信させる信号制御手段と、
を有し、
前記本体又は前記表示装置と、前記入力装置とのうち、他方は、
無線で信号の送信を行う送信手段、及び、無線で信号を受信し、該送信手段と一体的に又は隣接して設けられている受信手段で、構成される複数の受送信手段と、
前記他方の複数の前記受送信手段うちのいずれか一つ又は複数が前記受信成立信号を受信すると、予め定められたルールに従って、前記他方の一つの受送信手段と前記一方の前記受送信手段との間で通信が成立したものとして、該他方の一つの受送信手段が有している該送信手段への電源供給を継続し、該他方の他の送信手段への電源供給を断つ電源制御手段と、
を有していることを特徴とするものである。
【００２３】
前記目的を達成するための第１５の情報処理装置は、
前記第１４の情報処理装置において、
前記受信成立信号は、前記他方の前記受送信手段が送信した信号と同じ信号であることを特徴とするものである。
【００２４】
前記目的を達成するための第１６の情報処理装置は、
前記第１４又は第１５の情報処理装置において、
前記他方の複数の前記受送信手段が前記受信成立信号を受信したときの前記ルールは、該他方の複数の該受送信手段のうち最先に該受信成立信号を受信したもの、又は最も強い受信成立信号を受信したものを、前記一方の前記受送信手段との間で通信が成立したとするルールであることを特徴とするものである。
【００２５】
前記目的を達成するための第１７の情報処理装置は、
前記第１４から第１６のいずれか一つの情報処理装置において、
前記他方は、前記電源制御手段が該他方の一つの受送信手段と前記一方の前記受送信手段との間で通信が成立したものとしたときに、該他方の他の受送信手段が他の機器からの無線信号を受信すると、該一つの受送信手段と、該他の機器からの無線信号を受信した該他の受送信手段とがそれぞれ受送信する信号を独立して制御する信号制御手段を有していることを特徴とするものである。
【００２６】
前記目的を達成するための第１８の情報処理装置は、
前記第１７の情報処理装置において、
前記他方の前記信号制御手段は、前記電源制御手段が該他方の一つの受送信手段と前記一方の前記受送信手段との間で通信が成立したものとし、該他方の他の受送信手段が他の機器からの無線信号を受信し、該他の受送信手段の送信手段が前記他の機器へ信号を送信する必要性が生じたとき、前記電源制御手段に対して該他の受送信手段の前記送信手段への電源供給を再開させることを特徴とするものである。
【００２７】
前記目的を達成するための第１９の情報処理装置は、
前記第１４から第１８のいずれか一つの情報処理装置において、
前記他方の複数の前記受送信手段のうち、少なくとも一つは、移動又は方向変換可能に設けられていることを特徴とするものである。
【００２８】
前記目的を達成するための第２０の情報処理装置は、
前記第１４から第１９のいずれか一つの情報処理装置において、
前記他方は、該他方の受送信手段から送信される信号中に、該他方の識別コードを設定する識別コード設定手段を有し、
前記一方は、前記他方の前記識別コードを設定する識別コード設定手段を有し、
前記一方の信号制御手段は、該一方の受送信手段が受信した信号中に、該一方の前記識別コード設定手段で設定された識別コードと同一の識別コードがあるか否かを判定し、同一の識別コードがあれば、該一方の受送信手段が受信した信号を処理すると共に、前記受信成立信号を該一方の受送信手段に送信させることを特徴とするものである。
【００２９】
前記目的を達成するための第２１の情報処理装置は、
前記第１４から第２０のいずれか一つの情報処理装置において、
前記入力装置は、キーボードであり、
前記本体及び前記キーボードは、互いに接続し合うための接続端面をそれぞれ有し、
前記本体の前記接続端面には、前記受送信手段が設けられ、前記キーボードの前記接続端面には、複数の前記入力側送信手段のうちの１つの常使用受送信手段が、前記キーボードが前記本体に接続された際に前記本体の前記受送信手段と向かい合う位置に設けられ、
前記キーボードは、
前記本体に接続されているか否かを検出する接続検知手段と、
前記検知手段により前記本体への接続が検知されると、複数の前記受送信手段のうち前記常使用受送信手段のみを信号送信可能な状態にし、前記接続検知手段により前記本体からの離脱が検知されると、複数の前記受送信手段の全てを信号送信可能な状態にする電源制御手段と、
を備えていることを特徴とするものである。
【００３０】
前記目的を達成するための第２２の情報処理装置は、
前記第１４から第２０のいずれか一つの情報処理装置において、
前記入力装置は、キーボードであり、
前記本体及び前記キーボードは、互いに接続し合うための接続端面をそれぞれ有し、
前記本体は、
前記ＣＰＵを含む各種動作部品に電力を供給する電源回路と、
前記電源回路からの電力を前記キーボードに供給するための給電端子と、
を備え、
前記キーボードは、
前記キーボードに搭載されている各種動作部品に電力を供給する１次電池が収納される１次電池収納部、及び、各種動作部品に電力を供給する充電可能な２次電池と、
前記２次電池に接続されていると共に、前記本体に接続された際、前記本体の前記給電端子に接続される受電端子と、
前記１次電池と前記２次電池とのうち、いずれか一方のみを前記キーボードに搭載されている各種動作部品に電力供給可能な状態にする切換手段と、
前記１次電池と前記２次電池とのうち、予め定められた一方の電池を優先的に使用するよう前記切換手段に指示すると共に、前記１次電池及び前記２次電池に蓄えられている電力量を検知し、前記一方の電池の電力量が予め定められた電力量以下になると、他方の電池を使用するよう前記切換手段に指示する電源制御手段と、
を備えていることを特徴とするものである。
【００３１】
前記目的を達成するための第２３の情報処理装置は、
各種データ処理を実行するＣＰＵが搭載されている本体と、該本体にデータを入力する入力装置と、該本体からの指示に従って画面表示する表示装置と、を備えている情報処理装置において、
前記入力装置は、
それぞれ無線で信号の送信を行い、互いに異なる位置で且つ異なる方向に向けられている複数の入力側送信手段と、
前記入力側送信手段が送信する信号中に、前記入力装置の識別コードを設定する入力側識別コード設定手段と、
を有し、
前記本体と前記表示装置とのうちの一方は、
前記入力側送信手段からの無線信号の受信を行う本体側受信手段と、
前記入力装置の前記識別コードを設定する本体側識別コード設定手段と、
を有し、
前記本体は、
前記本体側受信手段が受信した信号中に、前記本体側識別コード設定手段で設定された識別コードと同一の識別コードがあるか否かを判定し、同一の識別コードがあれば、該本体側受信手段が受信した信号を処理する信号制御手段と、
を有し、
複数の前記入力側送信手段は、前記無線信号として光信号を送信する入力側光信号送信手段であり、
前記本体側受信手段は、前記無線信号として光信号を受信する本体側光信号受信手段であり、
前記本体側光信号受信手段は、
前記光信号を受ける光入力部及び該光入力部からの光信号を出力する光出力部を有する複数の光ガイドと、複数の該光ガイドの各光出力部からの各光信号を受け、そのうちの一つの光信号を選択して電気信号に変換する受光素子と、を有し、
複数の前記光ガイドの各光入力部は、互いに異なる位置に設けられ、複数の前記光ガイドの各光出力部は、各光出力部からの光信号を前記受光素子が受光できる位置に設けられていることを特徴とするものである。
前記目的を達成するための第２４の情報処理装置は、
前記第１４から第２０、及び前記第２３のいずれか一つの情報処理装置において、
前記入力装置は、キーボードであることを特徴とするものである。
【００３２】
前記目的を達成するための第２５の情報処理装置は、
前記第１４から第２０、及び前記第２０のいずれか一つの情報処理装置において、
前記入力装置は、マウスであることを特徴とするものである。
【００３３】
【発明の実施の形態】
以下、本発明に係る実施形態としての各種情報処理装置について、図面を用いて説明する。
以下の各実施形態における情報処理装置は、前述した目的を達成するものであると同時に、机上で作業を行ないデータ処理性能のみを要求する従来からのディスクトップ型コンピュータを使用するユーザも含め、今後、増加するであろう、客先でプレゼンテーションを行なうユーザ、そのスタイルや大きさに敏感なユーザ、家と職場とで又は異なる複数の職場で仕事をしなければならないユーザの要望にも応えようというものである。
【００３４】
まず、本発明に係る第1の実施形態としての情報処理装置について、図1〜図２３を用いて説明する。
この実施形態の情報処理装置は、図６に示すように、各種演算を高速で実行する高性能ＣＰＵが搭載されている本体１０と、本体１０での処理結果等を表示する表示装置３０と、本体１０に対して着脱自在なキーボード１００と、キーボード１００の下部に収納可能なパームレスト１４０とを備えている。
【００３５】
本体１０は、図３に示すように、各種演算を行なうＣＰＵ１１と、図示されていないメモリと、ＡＣ／ＤＣ回路１３と、二つのハードディスク駆動装置１４，１５と、フロッピーディスク駆動装置１６と、ＣＤ−ＲＯＭ駆動装置１７と、ＰＣＭＣＩＡ(Personal Computer Memory Card International Association)準拠のカード（以下、ＰＣＭＣＩＡカードとする。）のカードスロット１８と、ＳＰＣＩ(Small Peripheral Component Interconnect)バスに接続するカード（以下、ＳＰＣＩカードとする。）のための二つのカードスロット１９ａ，１９ｂと、二つの増設メモリ用スロット２０ａ，２０ｂと、赤外線信号の受送信を行なうＩＲ端２１と、このＩＲ端２１のための回路２２と、ＣＰＵ１１やメモリ等が搭載されるマザーボード２３と、二つのスピーカー２４ａ，２４ｂと、ＣＰＵ１１を冷却するためのＣＰＵ冷却ファン２５と、ＣＰＵ１１以外の搭載部品を冷却するための部品冷却ファン２９と、これらを覆うカバー４０と、本体１０を持ち運ぶための取っ手２６とを有している。
【００３６】
本体カバー４０は、図４及び図１０に示すように、前面（接続端面）４１、背面４２、上面４４、底面４８、両側面４６，４７を有している。上面４４としては、背面側の後部上面４４ｂと、前面側で後部上面４４ｂに対して段差を有して低くなっている前部上面４４ａとがある。
【００３７】
本体カバー４０内の背面側、つまり後部には、図３に示すように、ＣＰＵ１１とＣＰＵ冷却ファン２５と部品冷却ファン２９とが配されている。
本体カバー４０内の左側面側には、図３、図７、図１１に示すように、第１ハードディスク駆動装置１４、ＰＣＭＣＩＡカードスロット１８、ＣＤ−ＲＯＭ駆動装置１７が配されている。第１のハードディスク装置１４は、左側面側の後方であって、マザーボード２３の下部に配され、ＰＣＭＣＩＡカードスロット１８は、左側面側の前方であって、マザーボード２３の下部に配され、ＣＤ−ＲＯＭ駆動装置１７は、左側面側の前方であってマザーボード２３の上部に配されている。なお、ここでは、ＣＤ−ＲＯＭ駆動装置１７を用いているが、この換わりに、ＤＶＤ（Digital Video Disk)駆動装置を用いてもよい。
【００３８】
本体カバー４０内の右側面側には、図３、図５、図１１に示すように、第２ハードディスク駆動装置１５、フロッピーディスク駆動装置１６、ＡＣ／ＤＣ回路１３が配されている。第２ハードディスク駆動装置１５は、右側面側の前方であって、マザーボード２３の上部に配され、フロッピーディスク駆動装置１６は、右側面側の前方であって、マザーボード２３の下部に配され、ＡＣ／ＤＣ回路１３は、右側面側の後方に配されている。
【００３９】
本体カバー４０の前面（接続端面）４１には、図１０に示すように、ＣＤ−ＲＯＭをＣＤ−ＲＯＭ駆動装置１７に挿入するための挿入口１７ａと、各種音響機器等との接続プラグ５１，５２，…，５６と、キーボード１００との間で赤外線信号の受送信を行なうキーボード用ＩＲ端２１と、キーボード１００に電力を供給するための給電コネクタ５７とが設けられている。接続プラグとしては、具体的に、ヘッドホンを接続するためのヘッドホンプラグ５１と、音響機器からの音声を取り込むためのラインインプラグ５２と、マイクロホンの音声データを取り込むためのマイクロホンプラグ５３、Ｓ−ＶＩＤＥＯの画像・音声データを取り込むためのＳ−ＶＩＤＥＯプラグ５４と、音声出力プラグ５５，５６とがある。本体カバー４０の前面４１には、さらに、後述するキーボード１００の連結爪部１１７ｂが挿入される爪挿入孔４１ａと、同じく後述するキーボード１００の連結補強突起１２２ａが嵌まり込む突起嵌入穴４１ｂとが形成されている。
【００４０】
本体カバー４０の右側面には、図４及び図５に示すように、フロッピーディスクをフロッピーディスク駆動装置１６に挿入するための挿入口１６ａと、キーボード１００やマウス等の入力機器用の端子であってＰＳ（Personal System)／２（米国IBM社の登録商標)に準拠したＰＳ／２コネクタ５８とが設けられている。
【００４１】
なお、この実施形態では、フロッピーディスク挿入口１６ａを、本体カバー４０の右側面４６に設けたが、ＣＤ−ＲＯＭ挿入口１７ａと同様に、本体カバー４０の前面４１に設けるようにしてもよい。この場合、キーボード１００を本体１０の前面４１に装着した状態でも、フロッピーディスクやＣＤ−ＲＯＭを各挿入口１６ａ，１７ａから出し入れできるように、キーボード１００を装着してもキーボード１００と対向しない、本体１０の前面４１の上部の位置に、各挿入口１６ａ，１７ａを設けることが好ましい。
【００４２】
本体カバー４０の左側面４７には、図７に示すように、ＰＣＭＣＩＡカードスロット１８にＰＣＭＣＩＡカードを挿入するための挿入口１８ａが設けられている。さらに、本体カバー４０の左側面４７には、図１９に示すように、ＣＰＵ１１が発生した熱を排気する第１のＣＰＵ熱排気口８２が形成されている。
本体カバー４０の後部上面４４ｂには、図２及び図１９に示すように、後述する表示装置３０と本体１０とを連結する連結機構９０の一部を構成する揺動アーム９３の収納凹部４５が形成されている。この揺動アーム収納凹部４５の底には、本体カバー４０内から外部へ貫通する第２のＣＰＵ熱排気口８３が形成されている。
【００４３】
本体カバー４０の背面４２には、図１２に示すように、モデムコネクタ５９ａ、ＩＳＤＮコネクタ５９、ＵＳＢ(Universal Serial Bus)コネクタ６０、ＴＶ−ＩＮプラグ６１、ＴＶ−ＯＵＴプラグ６２、ＩＲ端６３、１００ＢＴコネクタ６４、シリアルコネクタ６５、パラレルコネクタ６６、ＶＧＡ(Video Graphics Array)コネクタ６７、ＳＣＳＩ(Small Computer System Interface)−IIコネクタ６８、ＡＣ電源コネクタ６９が設けられている。本体カバー４０の背面４２に設けられているＩＲ端６３は、キーボード１００以外の機器、例えば、電子手帳等のＰＤＡ（Personal Digital Assistant)との間で赤外線信号の受送信を行なうものである。本体カバー４０の背面４２には、さらに、ＣＰＵ１１を冷却するための空気を取り入れるためのＣＰＵ冷却空気取入口８１と、ＣＰＵ１１以外の部品が発生した熱を排気する部品熱排気口８６とが形成されている。ＣＰＵ冷却空気取入口８１の内側には、ＣＰＵ冷却ファン２５が配され、部品熱排気口８６の内側には、部品冷却ファン２９が配されている。
【００４４】
ＣＰＵチップ１１は、図３、図５及び図８に示すように、ＣＰＵボード１２に搭載されている。このＣＰＵボード１２は、マザーボード２３に対して立っている状態でコネクタ２３ａを介して接続されている。また、ＣＰＵボード１２には、冷却フィン８７がビス８８ａで固定されている。冷却フィン８７のＣＰＵチップ１１と対向している面８７ａは、平坦に形成されている。ＣＰＵチップ１１の表面には、熱伝導率の高い材質で形成された熱伝達板８９ａが貼付られている。ＣＰＵチップ１１の熱伝達板８９ａと冷却フィン８７の平坦面８７ａとの間には、熱伝達率が高く且つ柔軟性に富む熱伝導柔軟接触子８９ｂが、熱伝導板８９ａと冷却フィン８７の平坦面８７ａとにそれぞれ密着するように配されている。この熱伝導柔軟接触子８９ｂは、シリコンに金属粉末を混入したもの等で形成されている。なお、ここでは、熱伝達板８９ａと熱伝導柔軟接触子８９ｂとを介して、ＣＰＵチップ１１と冷却フィン８７とを接触させているが、直接、ＣＰＵチップ１１と冷却フィン８７とを接触させるようにしてもよい。但し、ＣＰＵチップ１１と冷却フィン８７との接触性を高めるために、両者間には、以上のように、熱伝導接触子８９ａを配することが好ましい。
【００４５】
冷却フィン８７の平坦面８７ａの反対側には、図１９に示すように、ＣＰＵ冷却ファン２５が入り込むファン収納部８７ｂが形成されていると共に、実際にフィンとしての役目を担う複数の突起８７ｃがファン収納部８７ｂを囲むように形成されている。ＣＰＵ冷却ファン２５は、この冷却フィン８７のファン収納部８７ｂに収められた状態で、冷却フィン８７に取り付けられている。
【００４６】
以上のように、ＣＰＵ１１と、ＣＰＵ冷却ファン２５と、冷却フィン８７とが、一体的であるので、ＣＰＵ１１を効率良く冷却することができる。
【００４７】
図８に示すように、ＣＰＵボード１２を中心として、ＣＰＵチップ１１が配されている側と反対側には、熱伝導率の高い材質で形成されている放熱板８８が配されている。この放熱板８８は、冷却フィン８７をＣＰＵボード１２に固定するビス８８ａで、ＣＰＵボード１２に固定されている。
【００４８】
本体カバー４０の背面４２から露出している各種端子は、図３に示すように、本体カバー４０の背面４２に沿って設けられているアルミニウム製のブラケット２８に設けられている。このブラケット２８は、冷却フィン８７と接触しており、冷却フィン８７からの熱を効率良く放熱する役目も担っている。金属ブラケット２８と冷却フィン８７との間には、両者間の接触性を高めるために、前述した熱伝導柔軟接触子を配することが好ましい。
【００４９】
以上のように、高性能ＣＰＵ１１が発生した熱を効率良く放熱させるものとして、冷却フィン８７の他に、放熱板８８、端子設置金属ブラケット２８があるので、ＣＰＵ冷却ファン２５とＣＰＵ１１との一体化と伴って、より効率良く、高性能ＣＰＵ１１を冷却することができる。
【００５０】
本体カバー４０内には、図１９に示すように、ＣＰＵ冷却ファン２５によりＣＰＵ冷却空気取入口８１からに吸い込まれ、冷却フィン８７やＣＰＵチップ１１から熱を奪って暖まった空気を、前述した第１のＣＰＵ熱排気口８２と第２のＣＰＵ熱排気口８３とに導く通気流路８０が形成されている。また、本体カバー４０内には、ＣＰＵ１１を除く、電源回路１３やメモリやＨＤＤ１４，１５等の各種動作部品からの熱を部品冷却ファン２９に導き、部品熱排気口８６から排出する通気流路８５が形成されている。各通気流路８０，８５は、ＣＰＵ１１と、ＣＰＵ１１を除く各種動作部品とを仕切る仕切り板８４と、本体カバー４０とで形成されている。このように、本体カバー４０内に、ＣＰＵ専用の通気流路８０と、ＣＰＵ１１を除く各種動作部品専用の通気流路８５とを設けたので、ＣＰＵ１１の熱で各種動作部品が暖められるのを抑えることができると共に、ＣＰＵ冷却ファン２５や冷却フィン８７等によるＣＰＵ１１の冷却効果が各種動作部品の熱で低下するのを防ぐことができる。
【００５１】
なお、ＣＰＵ１１から熱を奪って暖まった空気は、本体後部上面４４ｂに形成されている第２のＣＰＵ熱排気口８３からも排気されるので、そこから排気された空気が表示装置３０の背面３７にあたって表示装置３０の性能を著しく劣化される恐れがある。そこで、表示装置３０の背面３７には、熱伝達率の低い材質で形成された熱ガードボードを取り付けるか、又は、第２のＣＰＵ熱排気口８３を塞ぎ、もっぱら、本体左側面４７に形成されている第１のＣＰＵ熱排気口８２から、ＣＰＵ１１で暖められた空気を排気するようにしてもよい。
【００５２】
取っ手２６は、図２及び図７に示すように、ユーザが把持する把持部２６ａと、把持部２６ａの両端に形成されているアーム部２６ｂ，２６ｂとを有している。本体カバー４０の背面４２の下部には、図６に示すように、取っ手２６の把持部２６ａを収納する取っ手収納凹部４３が形成されている。取っ手２６は、図７に示すように、取っ手２６の把持部２６ａが本体カバー４０の取っ手収納凹部４３に収まっている収納位置と、取っ手２６の把持部２６ａが取っ手収納凹部４３から出て本体カバー４０の背面４２よりも後方に位置することになる使用位置との間で揺動可能に、取っ手２６のアーム２６ｂが本体カバー４０の後部にビスで止められている。このように、取っ手２６は、本体１０の背面４２側に設けられているので、この取っ手２６を持って、この情報処理装置を運ぶ際、表示装置３０にかかる重力は、常に、表示装置３０を閉状態にしようとする力として作用するので、本体１０に対して表示装置３０がバタツクのを防ぐことができる。
【００５３】
表示装置３０は、図１３及び図１４に示すように、フラット表示パネルの一種であるＴＦＴ表示パネル３１と、これを覆うカバー３４とを有している。ＴＦＴ表示パネル３１は、矩形状の有効表示面３２を有しており、その長辺の寸法Ｗは、図１３に示すように、後述するキーボード１００のアルファーニユーメリックキー群１０１ａの左右方向の幅Ｗ1よりも大きく、このアルファーニユーメリックキー群１０１ａの左右方向の幅Ｗ1とテンキー群１０３ａの左右方向の幅Ｗ2とを合わせた長さよりも短い。具体的に、表示面３２の長辺の寸法Ｗは、１２インチ（３０５mm）である。また、表示面３２の短辺の寸法は、９インチ（２２９mm）で、その対角線寸法Ａは、１５インチである。このＴＦＴ表示パネル３１は、フルカラー仕様で、その視野角は、例えば１６０°である。なお、ここでは、１５インチサイズの表示パネル３１を採用したが、現状のカバー３４内に収まるのであれば、例えば、１７.５インチの表示パネルを採用してもよい。
【００５４】
表示装置３０と本体１０とを連結する連結機構９０は、図６及び図７に示すように、本体１０に設けられ、本体１０の前後方向に伸びたガイド経路が形成されているガイド部材９１と、表示装置３０の基端部３６に揺動可能に取り付けられ、ガイド部材９１のガイド経路に摺動可能に係合する係合部９２ａが形成されているスライダー部材９２と、一方の端部９３ａが本体カバー４０の揺動アーム収納凹部４５の後部に揺動可能に取り付けられ、他方の端部９３ｂが表示装置３０の基端部３６と先端部３５との間の位置に揺動可能に取り付けられている揺動アーム９３と、ガイド部材９１の後部側に配されているバネ９４とを有している。なお、ここでは、表示パネルカバー３４の部分のうち、有効表示面３２の一方の長辺に沿っている部分を基端部３６、有効表示面３２の他方の長辺に沿っている部分を先端部３５としている。
【００５５】
ガイド部材９１は、本体カバー４０の前部上面４４ａを形成する板材に固定されている。スライダー部材９２は、ガイド部材９１のガイド経路に係合する係合部９２ａと、表示装置３０との連結を行なうための第１揺動軸９５が取り付けられる軸取付部９２ｂ（図１４に示す）と、係合部９２ａと軸取付部９２ｂとをつなぐ脚部９２ｃ（図１４に示す）とを有している。本体カバー４０の揺動アーム収納凹部４５の後部には、揺動アーム９３の一方の端部９３ａとの連結を行なうための第２揺動軸９６が取り付けられる軸取付部が設けられている。表示装置３０の基端部３６には、第１揺動軸９５が取り付けられる軸取付部が形成され、表示装置３０の背面（表示面３２と対向する面）３７で基端部３６と先端部３５との間の位置には、揺動アーム９３の他方の端部９３ｂとの連結を行なうための第３揺動軸９７が取り付けられる軸取付部が設けられている。揺動アーム９３の一方の端部９３ａには、第２揺動軸９６が取り付けられる軸取付部が形成され、揺動アーム９３の他方の端部９３ｂには、第３揺動軸９７が取り付けられる軸取付部が形成されている。
【００５６】
すなわち、表示装置３０は、第１揺動軸９５を中心として相対的に揺動可能にスライダー部材９２に連結されていると共に、第３揺動軸９７を中心として相対的に揺動可能に揺動アーム９３に連結され、揺動アーム９３は、第２揺動軸９６を中心として相対的に揺動可能に本体１０に連結されており、表示装置３０と揺動アーム９３とスライダー部材９２とで、いわゆるスライダークランク機構を構成している。
【００５７】
図６、図７及び図２に示すように、本体カバー４０の前部上面４４ａには、ガイド部材９１を摺動する際に、スライダー部材９２の脚部が通過できるよう、前後方向に伸びた溝４４ｃが形成されている。ガイド部材９１の後部であって、スライダー部材９２がガイド部材９１の後方に位置したとき、スライダー部材９２の脚部が接触する位置に、前述したバネ９４が設けられている。
【００５８】
表示装置３０が閉状態の際には、図４及び図５に示すように、表示装置３０の表示面３２と本体１０の前部上面４４ａとが対向している。また、表示装置３０の両側縁と本体１０の両側縁とが接触している。また、キーボード１００が本体１０に装着されていれば、表示装置３０の表示面３２は、キーボード１００の上面１２１とも対向しており、表示装置３０は、キーボード１００の上面１２１全体を覆っている。また、表示装置３０の重心Ｇは、図７に示すように、本体１０の上方領域内に存在している。このため、本体１０にキーボード１００が装着されていない場合であっても、本体１０の設置安定性は確保される。また、この際、連結機構９０のバネ９４は、スライダー部材９２と接触しており、スライダー部材９２を前方に押し、表示装置３０を開状態へ付勢している。
【００５９】
ユーザが、閉状態の表示装置３０の先端部３５を押し上げると、第１揺動軸９５を中心として表示装置３０が揺動すると共に、第１揺動軸９５が取り付けられているスライダー部材９２が前方に移動し、これに伴って、表示装置３０の基端部３６が前方に移動する。この際、前述したように、連結機構９０のバネ９４が表示装置３０を開状態の方向へ付勢しているため、ユーザーは、比較的楽に表示装置３０を開状態にすることができる。ユーザが、表示装置３０の先端部３５をさらに押し上げると、第１揺動軸９５を中心として表示装置３０がさらに揺動すると共に、スライダー部材９２がさらに前方に移動する。この過程で、スライダー部材９２は、連結機構９０のバネ９４から離れる。スライダー部材９２が前方に移動し、ガイド経路の前端部に至ると、さらに前方へ移動できなくなり、スライダー部材９２は、そこで止まる。このため、表示装置３０は、揺動アーム９３との関係で、さらなる揺動ができなくなり、完全開状態になる。
【００６０】
完全開状態では、表示装置３０は、表示装置３０の先端部３５がやや後方向に傾いた状態で、本体１０に対して立っている。この状態においても、図７に示すように、表示装置３０の重心Ｇは、本体１０の上方領域内に存在している。すなわち、表示装置３０は、どのような状態であっても、その重心Ｇが本体１０の上方領域内に存在している。より正確に言えば、本体１０が、閉状態の表示装置３０と接触する本体前部上面４４ａの両側縁間に挟まれた領域の上方領域内に、表示装置３０の重心Ｇが常に存在している。従って、本体１０の設置安定性は、常に確保されている。
【００６１】
表示装置３０は、開状態の際には、表示画面の見易さの観点からは、できる限り本体１０の前方にあった方が好ましく、一方、閉状態の際には、本体１０の設置安定性の観点から、キーボード１００が装着されていたら、それを覆える範囲内で、できる限り本体１０の後方にあった方が好ましい。そこで、この実施形態では、スライダークランク機構を採用し、表示装置３０を揺動と共にスライドするようにして、以上の両観点を満たすようにしている。
【００６２】
表示装置３０は、完全開状態のときよりも、いくらか先端部３５が前方に位置して立っている、完全開状態以外の開状態であっても、その状態を維持することができる。それは、各揺動軸９５，９６，９７とそれらの取付部との間、及び、スライダー部材９２とガイド部材９１との間に、摩擦力が働いていると共に、表示装置３０をスライダー部材９２と揺動アーム９３との２つの部材で支えていることに起因している。
【００６３】
開状態の表示装置３０を閉状態にする際には、表示装置３０の先端部３５を前方へそして下方へ押し下げる。すると、表示装置３０は、以上とは、逆の過程を経て、閉状態になる。表示装置３０は、この閉状態になる直前で連結機構９０のバネ９４と接触する。このため、このバネ９４が緩衝部材として作用し、ユーザが急激に閉状態にしようとしても、このバネ９４によって、閉状態になる際のショックを軽減することができる。
【００６４】
なお、この実施形態では、バネ９４をガイド部材９１の後部に配し、表示装置３０が閉状態のとき及び閉状態近傍のときにのみ接触するようにしたが、バネをガイド部材９１の前方に配し、そのバネの一方の端部をガイド部材９１の前端部又は前端部近傍の本体カバー４０に取り付け、そのバネの他方の端部をスライダー部材９２に取り付けるようにしてもよい。このようにすると、表示装置３０を開状態の方向へ付勢するバネ力は、表示装置３０が如何なる状態でも作用することになるが、表示装置３０が閉状態のときには、バネが最も伸びてバネ力が最大となるので、表示装置３０が閉状態近傍の状態で効果的に緩衝部材としての機能を果たすことになる。
【００６５】
また、この実施形態では、緩衝部材としてバネ９４を採用したが、この換わりに、エアーあるいはガスシリンダを採用してもよい。この場合、シリンダケーシングがガイド部材となり、シリンダピストンがスライダー部材となり、エアーあるいはガスが緩衝部材となる。また、ガイド部材としてラックを採用し、スライダー部材としてラックに係合するピニオンを採用してもよい。この場合、ピニオンとして、いわゆるシリコンギヤを用いてもよい。このシリコンギヤとは、ギヤの歯部とギヤの回転軸との間に、シリコングリースが配されているもので、このシリコングリースが緩衝部材として作用することになる。
【００６６】
キーボード１００は、図１５及び図１６に示すように、複数のキー１０１，１０２，１０３と、本体１０への装着を検知する装着検知センサ１０５と、本体１０のキーボード用ＩＲ端２１との間で赤外線信号の受送信を行なう３つのＩＲ端１０６ａ，１０６ｂ，１０６ｃと、乾電池である１次電池１０７を収納する１次電池収納部１０７ａと、充電可能な２次電池１０８，１０８と、本体１０に装着された際、本体１０の給電コネクタ５７に接続される受電コネクタ１０９と、パームレスト１４０との信号の受送信を行なうためのパームレスト接続コネクタ１１０と、キーボード回路部１１１（図１８に示す。）が形成されている回路ボード１１５と、本体１０と連結するための本体連結機構１１６と、使用可能状態のパームレスト１４０と連結するためのパームレスト連結機構１２６と、これらを覆うカバー１２０とを備えている。
【００６７】
キーボードカバー１２０は、上面１２１、背面（接続端面）１２２、前面１２３、両側面１２４ａ，１２４ｂ、下面１２５が形成されている。キーボードカバー１２０の下面１２５には、パームレスト１４０を着脱自在に収納するパームレスト収納部１２５ａが形成されている。
【００６８】
キーボード１００の両側端部には、図２及び図５に示すように、上面１２１から上方に突出した突出壁１３０が形成されている。また、表示装置３０のカバー３４の両側端部にも、図５及び図１３に示すように、表示面３２のレベルから突出した突出壁１３０ａが形成されている。各突出壁１３０，１３０ａには、それぞれ、キーボード１００が本体１０に装着され且つ表示装置３０が閉状態の際に、両者が接触し合う平坦部１３１，１３１ａが形成されている。従って、キーボード１００が本体１０に装着され且つ表示装置３０が閉状態の際には、キーボード１００は、本体１０と共に、閉状態の表示装置３０を支えることになる。また、キーボード１００の突出壁１３０には、その平坦部１３１の背面側に、背面側に向かうに連れて次第に上方への突出量が増え、なだらかな曲面を成す曲面部１３２が形成されている。一方、表示装置３０の突出壁１３０ａにも、その平坦部１３１ａの基端部側に、基端部側に向かうに連れてい次第に突出量が減り、なだらかな曲面を成す曲面部１３２ａが形成されている。各曲面部１３２，１３２ａは、キーボード１００が本体１０に装着され且つ表示装置３０が閉状態の際、各平坦部１３１，１３１ａと同様に、対向し合うことになるものの、両曲面部１３２，１３２ａは接触していない。このため、キーボード１００が本体１０に装着され且つ表示装置３０が閉状態の際に、キーボード１００を本体１０に対して相対的に前方へ引いても、両曲面部１３２，１３２ａの間には、隙間があるので、引抜動作開始時には、比較的容易にキーボード１００を前方に引くことができる。キーボード１００を僅かに前方に引いた結果、両曲面部１３２，１３２ａが接触すると、キーボード１００をさらに前方に引く動作で、表示装置３０の曲面部１３２ａがキーボード１００の曲面部１３２を倣うことになり、表示装置３０の先端部３５が僅かに上昇して閉状態から僅かに開状態になる。従って、キーボード１００が本体１０に装着され且つ表示装置３０が閉状態の際に、キーボード１００を本体１０から離すべく、キーボード１００を本体１０に対して相対的に前方へ引くと、前述した連結機構９０のバネ９４の作用と相俟って、特に、開状態にする操作をしなくても、表示装置３０の先端部３５がゆっくりと跳上る。
【００６９】
各キー１０１，１０２，１０３は、キーボードカバー１２０の上面４４から突出している。複数のキー１０１，１０２，１０３としては、複数のアルファーニユーメリックキー（アルファベット、かな、数字、記号キー）１０１，１０１，…と、複数のファンクションキー１０２，１０２，…と、複数のテンキー１０３，１０３，…とがある。複数のアルファーニユーメリックキー１０１，１０１，…から成るアルファーニユーメリックキー群１０１ａは、キーボードカバー１２０上面１２１のやや左よりの中央部に配されている。複数のファンクションキー１０２，１０２，…から成るファンクションキー群１０２ａは、アルファーニユーメリックキー群１０１ａの回りに主として配されている。複数のテンキー１０３，１０３，…から成るテンキー群１０３ａは、アルファーニユーメリックキー群１０１ａの右側に配されている。各キーの相互間隔、すなわちキーピッチは、１９．０５mmである。以上のように、このキーボード１００は、いわゆるフルキーボードと呼ばれるものである。このように、この実施形態において、いわゆるフルキーボードを用いているのは、マンマシン性を考慮したからである。
【００７０】
装着検知センサ１０５と３つのＩＲ端１０６ａ，１０６ｂ，１０６ｃと受電コネクタ１０９とは、キーボードカバー１２０の背面側に配されている。３つのＩＲ端１０６ａ，１０６ｂ，１０６ｃのうち、１つのＩＲ端１０６ａは、キーボード１００を本体１０に装着した際、本体１０のキーボード用ＩＲ端２１と向かい合う位置に設けられ、残りの２つは、それぞれキーボードカバー１２０の右側面側と左側面側とに設けられている。右側のＩＲ端１０６ｂは、図２２に示すように、その信号送受信主方向Ｄｂが数十度右側に傾いた状態で設けられ、左側のＩＲ端１０６ｃは、その信号送受信主方向Ｄｃが数十度左側に傾いた状態で設けられている。各ＩＲ端１０６ａ，１０６ｂ，１０６ｃは、信号送受信主方向Ｄａ，Ｄｂ，Ｄｃを中心として、広角度で、例えば４５°以上の角度で赤外線信号を送受信できるものである。さらに、キーボードカバー１２０の背面（接続端面）１２２には、図５、図１４及び図１５に示すように、キーボード１００を本体１０に装着した際に、本体１０の前面（接続端面）４１に形成されている突起嵌入穴４１ｂに嵌まり込む連結補強突起１２２ａが形成されている。
【００７１】
本体連結機構１１６は、本体カバー４０の背面側の左右に１つずつ配されている。各連結機構１１６は、実際に本体１０との連結を行なう連結具１１７と、連結具１１７を側方に付勢するバネ１１８とを有している。連結具１１７は、ユーザが操作する押しボタン部１１７ａと、本体前面４１に形成されている爪挿入孔４１ａに入り込む連結爪部１１７ｂとを有している。右側の連結機構１１６において、その連結具１１７の押しボタン部１１７ａは、キーボードカバー１２０の右側面１２４ａから突出しており、そのバネ１１８は、連結具１１７を右方向に付勢している。また、左側の連結機構１１６において、その連結具１１７の押しボタン部１１７ａは、キーボードカバー１２０の左側面から突出しており、そのバネ１１８は、連結具１１７を左方向に付勢している。
【００７２】
キーボード１００が本体１０に装着されている際には、連結具１１７の連結爪部１１７ｂが本体１０の爪挿入孔４１ａにひっかかり、連結具１１７の押しボタン部１１７ａはキーボードカバー１２０の側面１２４ａ，１２４ｂから突出している。この連結具１１７の状態は、バネ１１８によって維持されている。また、この際、キーボード１００の連結補強突起１２２ａは、本体１０の突起嵌入穴４１ｂに嵌まり込んでいる。キーボード１００を本体１０から離す際には、連結具１１７の押しボタン部１１７ａをバネ１１８の弾性力に抗して押し込む。すると、連結具１１７の連結爪部１１７ｂもこれに伴って移動して、連結爪部１１７ｂが本体１０の爪挿入孔４１ａとの係合が解除され、爪挿入孔４１ａから引き出せる状態になる。この状態になってから、キーボード１００を本体１０に対して相対的に前方に移動させると、連結爪部１１７ｂが本体１０の爪挿入孔４１ａから出てくると共に、連結補強突起１２２ａが本体１０の突起嵌入穴４１ｂから出てきて、キーボード１００が本体１０から離れる。なお、連結具１１７の連結爪部１１７ｂは、キーボード１００を本体１０に対して前方に引き抜こうとする力に、主として抗するもので、キーボード１００を本体１０に対して上下左右方向に動かそうとする力に対しては、主として連結補強突起１２２ａが担うことになる。
【００７３】
パームレスト接続コネクタ１１０は、キーボードカバー１２０の前面１２３に設けられている。
【００７４】
パームレスト連結機構１２６は、キーボードカバー１２０の前面側の左右に一つずつ設けられている。パームレスト連結機構１２６も、本体連結機構１１６と同様に、押しボタン部１２７ａと連結爪部１２７ｂとを有する連結具１２７と、連結具１２７を一定方向に付勢するバネ１２８とを備えている。但し、パームレスト連結機構１２６は、そのバネ１２８で連結具１２７を上方に付勢し、連結具１２７の押しボタン部１２７ａは、通常、キーボードカバー１２０の上面１２１より突出している。なお、このパームレスト連結機構１２６の動作に関しては、パームレスト１４０の構成を説明した後に説明する。
【００７５】
キーボード１００は、以上の他、図１８に示すように、１次電池１０７からキーボード回路部１１１への給電と、２次電池１０８からキーボード回路部１１１への給電との切換を行なうセレクタスイッチ１１２と、セレクタスイッチ１１２及び３つのＩＲ端１０６ａ，１０６ｂ，１０６ｃの動作制御等を行なう制御部１１３とを備えている。キーボード１００の受電コネクタ１０９は、セレクタスイッチ１１２を介して２次電池１０８に接続されている。
【００７６】
制御部１１３は、セレクタスイッチ１１２の動作制御、及び３つのＩＲ端１０６ａ，１０６ｂ，１０６ｃへの電源供給等を制御する電源制御部１１３ａと、Ｋ／Ｂ回路部１１１からの信号、各ＩＲ端１０６ａ，１０６ｂ，１０６ｃからの信号、各ＩＲ端１０６ａ，１０６ｂ，１０６ｃへの信号を制御する信号制御部１１３ｂと、を有している。この実施形態のＩＲ端１０６ａ，１０６ｂ，１０６ｃ、２１は、いずれも、赤外線発光素子１０６ｘと赤外線受光素子１０６ｙとこれらの駆動回路とを有し、これらが１ユニット化されたものである。
本体１０には、本体１０のＩＲ端２１からの信号、及びＩＲ端２１への信号を制御する信号制御部(キーボードコントローラ）２１ｂが設けられている。
【００７７】
制御部１１３の電源制御部１１３ａは、１次電池１０７及び２次電池１０８のそれぞれの電力量の検知も行なう。この検知方法は、例えば、電池の電圧値の変化から検知する方法でもよいし、キーボード回路部１１１等の動作時間から求める方法でもよい。電源制御部１１３ａは、装着検知センサ１０５が押されているか否かによって、常に、キーボード１００が本体１０に装着されているか否かを認識している。また、本体１０のキーボード用ＩＲ端２１からは、常に、本体１０がスリープ状態であるか活性状態であるかを示すステータス信号が発されており、この信号をキーボード１００のＩＲ端１０６ａ，１０６ｂ，１０６ｃが受信することで、信号制御部１１３ｂは、常に、本体１０の状態を認識している。
【００７８】
キーボード１００が本体１０に装着されている際は、本体１０の給電コネクタ５７とキーボード１００の受電コネクタ１０９とが接続されている。このため、本体１０からの電力は、各コネクタ５７，１０９及びセレクタスイッチ１１２を介して２次電池１０８に供給されている。但し、電源制御部１１３ａが２次電池１０８の満充電を検知すると、セレクタスイッチ１１２に対して指示を与え、この指示を受けたセレクタスイッチ１１２により、受電コネクタ１０９と２次電池１０８との接続が断たれる。また、この際、本体１０が活性状態であれば、２次電池１０８からの電力がセレクタスイッチ１１２を介してキーボード回路部１１１に供給される。キーボード１００が本体１０に装着されている際には、基本的に、本体１０からの電力が２次電池１０８に供給されているので、２次電池１０８の電力量は、ほとんど減ることがない。本体１０がスリープ状態になると、制御部１１３がセレクタスイッチ１１２に指示を与え、この指示を受けたセレクタスイッチ１１２により、２次電池１０８からキーボード回路部１１１への給電が断たれる。この場合、１次電池１０７からキーボード回路部１１１への給電も断たれる。なお、キーボード１００が本体１０に装着されている間は、３つのＩＲ端１０６ａ，１０６ｂ，１０６ｃのうち、本体１０のキーボード用ＩＲ端２１と向かい合っている中央部ＩＲ端１０６ａのみが、電源制御部１１３ａによって活かされている。
【００７９】
キーボード１００が本体１０から離れると、本体１０の給電コネクタ５７とキーボード１００の受電コネクタ１０９とが離れるので、本体１０から２次電池１０８への給電は断たれる。また、この間、キーボード１００の３つのＩＲ端１０６ａ，１０６ｂ，１０６ｃの全ては、電源制御部１１３ａによって活かされている。本体１０が活性状態であるときには、まず、２次電池１０８が使用され、２次電池１０８からキーボード回路部１１１へ電力が供給される。電源制御部１１３ａは、この２次電池１０８の電力量が予め定めた値以下になると、セレクタスイッチ１１２に対して、２次電池１０８からキーボード回路部１１１への給電を１次電池１０７からの給電に切り替えるよう、指示を与える。すると、セレクタスイッチ１１２が動作して、キーボード回路部１１１への電力は、１次電池１０７から供給されるようになる。電源制御部１１３ａは、さらに、信号制御部１１３ｂを介し、本体１０に対して、２次電池１０８の充電を促すメッセージを表示するよう、ＩＲ端１０６ａ，１０６ｂ，１０６ｃを介して指示を与える。１次電池１０７も予め定めた電力量以下になると、電源制御部１１３ａは、信号制御部１１３ｂを介し、本体１０に対して、乾電池である１次電池１０７の交換を促すメッセージを表示するよう、ＩＲ端１０６ａ，１０６ｂ，１０６ｃを介して指示を与える。本体１０がスリープ状態になると、キーボード装着時と同様に、電源制御部１１３ａがセレクタスイッチ１１２に指示を与え、この指示を受けたセレクタスイッチ１１２により、２次電池１０８及び１次電池１０７からのキーボード回路部１１１への給電が断たれる。
【００８０】
なお、この実施形態では、キーボード１００が本体１０から離れている際、２次電池１０８を使用した後、１次電池１０７を使用するようにしているが、逆に、１次電池１０７を使用した後、２次電池１０８を使用するようにしてもよい。また、キーボード１００に専用スイッチを設けるなどして、この専用スイッチを操作することで、本体１０をスリープ状態から活性状態へ、又は活性状態からスリープ状態へ切り替えることができるようにしてもよい。
【００８１】
ユーザの中には、この情報処理装置の使用、未使用に関わらず、キーボード１００を本体１０から常に離しておくユーザも在りうる。そこで、このようなユーザを考慮して、本体１０の給電コネクタ５７とキーボード１００の受電コネクタ１０９とを電気的に接続する給電ケーブルを準備しておくことが好ましい。また、従来と同様に、キーボード１００と本体１０とをカールコード等を用いて、接続できるようにしてもよい。この場合、カールコード等の収納は、例えば、不要となる１次電池収納部１０７ａのエリアを用いればよい。
【００８２】
キーボード１００が本体１０から離れている際、キーボード１００のＫ／Ｂ回路部１１１で作成されたデータは、信号制御部１１３ｂを介して、各ＩＲ端１０６ａ，１０６ｂ，１０６ｃへ送られ、ここで赤外線信号に変換されて、本体１０のＩＲ端２１に送信される。本体１０のＩＲ端２１が、キーボード１００の三つのＩＲ端１０６ａ，１０６ｂ，１０６ｃのうち、少なくともいずれか一つからの赤外線信号を受信すると、本体１０の信号制御部２１ｂは、受信した赤外線信号と同じ信号を受信成立信号として、本体１０のＩＲ端２１に送信させる。キーボード１００の三つのＩＲ端１０６ａ，１０６ｂ，１０６ｃのうち、少なくともいずれか一つが本体１０からの受信成立信号を受信すると、キーボード１００の電源制御部１１３ａは、予め定められたルールに従って、本体１０のＩＲ端２１とキーボード１００の三つのＩＲ端１０６ａ，１０６ｂ，１０６ｃのうちの一つとの間で通信が成立したものとして、この一つのＩＲ端への電源供給を継続させておく一方で、残りの二つのＩＲ端の発光素子１０６ｘへの電源供給を断つ。
【００８３】
キーボード１００の三つのＩＲ端１０６ａ，１０６ｂ，１０６ｃのうち一つのみが本体１０からの受信成立信号を受信した場合には、この一つのＩＲ端と本体１０のＩＲ端２１との間で通信が成立したものとされる。また、三つのＩＲ端１０６ａ，１０６ｂ，１０６ｃのうち二つ又は三つが本体１０からの受信成立信号を受信した場合には、これらのＩＲ端のうち、最先で受信成立信号を受信したものと、または、信号強度が最大の受信成立信号を受信したものと、本体１０のＩＲ端２１との間で通信が成立したものとされる。
【００８４】
キーボード１００の一つのＩＲ端と本体１０のＩＲ端２１と間で通信が成立している際に、キーボード１００の残りのＩＲ端が、他の機器、例えば、電子手帳又はポケットコンピュータ等と呼ばれているＰＤＡからの赤外線信号を受信すると、キーボード１００の信号制御部１１３ｂは、すでに通信が成立しているＩＲ端と、新たに赤外線信号を受信したＩＲ端との受送信信号を、それぞれ独立して制御する。また、信号制御部１１３ｂは、新たに赤外線信号を受信したＩＲ端が赤外線信号を送信する必要性が生じたとき、電源制御部１１３ａに対して新たに赤外線信号を受信したＩＲ端の発光素子１０６ｘへの電源供給を再開させる。
【００８５】
なお、ＰＤＡ等とキーボード１００との間での赤外線信号の受送信を容易に行えるよう、図１８に示すように、キーボード１００の三つのＩＲ端１０６ａ，１０６ｂ，１０６ｃのうち一つのＩＲ端１０６ｃを移動可能又は方向転換可能に設けておいてもよい。
【００８６】
このように、この実施形態では、キーボード１００に複数のＩＲ端１０６ａ，１０６ｂ，１０６ｃをそれぞれ位置及び向きを変えて設けたので、本体１０とキーボード１００との間に異物が存在していても、本体１０のＩＲ端２１とキーボード１００の複数のＩＲ端１０６ａ，１０６ｂ，１０６ｃのうちのいずれかのと間で通信が成立する可能性が非常に高くなり、通信障害を回避することができる。また、本体１０のＩＲ端２１とキーボード１００の三つのＩＲ端１０６ａ，１０６ｂ，１０６ｃのうちの一つとの間で通信が成立すると、通信が成立した以外の二つのＩＲ端の発光素子１０６ｘへの電源供給が断たれるので、キーボード１００の消費電力を抑えることもできる。さらに、この実施形態では、複数の機器との間で、同時に無線通信を行うことができる。
【００８７】
なお、キーボード１００には、キーボード１００の識別コードを設定するスイッチ等を設け、この識別コードを赤外線信号中に含め、本体１０にも、キーボード１００の識別コードを設定するスイッチ等を設け、本体１０が受信した信号が特定のキーボード１００からの信号であるかいなかを判別できるようにすることが好ましい。
【００８８】
パームレスト１４０は、図１５〜図１７に示すように、ポインティングディバイスの一種であるトラックパッド１４１と、使用可能状態において、キーボード１００のパームレスト接続コネクタ１１０と接続されるコネクタ１４２と、キーボード１００のパームレスト連結機構１２６の連結爪部１２７ｂと係合する板バネ１４３と、これらを覆うパームレストカバー１４５とを有している。
パームレストカバー１４５は、上面１４６と背面１４７と両側面１４８ａ，１４８ｂとを有している。
【００８９】
パームレスト１４０は、収納状態では、パームレストカバー１４５の上面１４６とキーボード１００のパームレスト収納部１２５ａの天面とが向かい合った状態で、このパームレスト収納部１２５ａ内に収められている。また、パームレスト１４０は、使用状態では、キーボード１００の前面１２３とパームレストカバー１４５の背面１４７とが向かい合った状態で、キーボード１００に装着されている。
【００９０】
パームレストカバー上面１４６のほぼ中央部には、トラックパッド１４１が設けられている。また、パームレストカバー１４５の上面１４６で、トラックパッド１４１が設けられていない部分は、ユーザがキーボード１００を使用する際に、ユーザの手が載る部分となる。
【００９１】
板バネ１４３は、パームレストカバー１４５の背面側で、パームレスト１４０を使用状態にした際に、キーボード１００のパームレスト連結具１２７と向かい合う位置に設けられている。板バネ１４３は、図１７に示すように、キーボード１００のパームレスト連結具１２７の連結爪部１２７ｂ（被係合部）に係合する係合部１４３ａと、連結具１２７の連結爪部１２７ｂを相対的に後方に押す離脱促進部１４３ｂとが形成されている。パームレスト１４０が使用状態の際には、図１７（ｂ）に示すように、板バネ１４３の係合部１４３ａがキーボード１００のパームレスト連結具１２７の連結爪部１２７ｂ（被係合部）に係合しており、板バネ１４３の離脱促進部１４３が連結具１２７の連結爪部１２７ｂを相対的に後方に押している。この際、パームレスト連結具１２７の押しボタン部１２７ａは、パームレスト連結機構１２６のバネ１２８の付勢力でキーボード１００の上面１２１から突出している。使用状態のパームレスト１４０をキーボード１００から離す際には、同図（ｃ）に示すように、キーボード１００に設けられているパームレスト連結具１２７の押しボタン部１２７ａを下方に押し込む。すると、パームレスト連結具１２７の連結爪部１２７ｂが板バネ１４３の係合部１４３ａから外れる。この際においても、板バネ１４３の離脱促進部１４３ｂが、パームレスト連結具１２７の連結爪部１２７ｂを相対的に後方に押しているので、同図（ｄ）に示すように、パームレスト１４０は、キーボード１００に対して相対的に前方に押され、同図（ａ）に示すように、キーボード１００から離れる。
【００９２】
次に、以上で述べた情報処理装置の使用態様について説明する。
この情報処理装置の表示パネル３１は、比較的大きな１５インチサイズのものを用いているので、図２１〜図２３に示すように、表示装置３０が取り付けられている本体１０からキーボード１００を離して使用することが好ましい。
【００９３】
キーボード１００を本体１０から離して使用する場合、図２１に示すように、本体１０に対するキーボード１００の向きが変わったり、また、図２３に示すように、本体１０とキーボード１００との間に書籍Ｂ等の異物が存在すると、本体１０とキーボード１００との間の信号受送信に障害が発生する恐れがある。このため、この実施形態では、キーボード１００に複数のＩＲ端１０６ａ，１０６ｂ，１０６ｃを設け、それぞれの信号受送信主方向を変えて、以上のような障害を回避するようにしている。なお、この実施形態では、キーボード１００に複数のＩＲ端１０６ａ，１０６ｂ，１０６ｃを設け、本体１０に一つのＩＲ端２１を設けているが、逆に、キーボード１００に一つのＩＲ端を設け、本体１０又は本体１０に直結されている表示装置３０に複数のＩＲ端を設けるようにしてもよい。この場合、本体１０又は表示装置３０の複数のＩＲ端に関する電源制御及び信号制御は、キーボード１００に三つのＩＲ端を設けた前述した場合と同様に、実行することが好ましい。
【００９４】
証券マンなどは、株価情報などを時々見つつ、仕事をすることが多い。このような場合、図２１及び図２２に示すように、本体１０に取り付けられているメイン表示装置３０の他に、比較的表示面積の小さい、例えば、１３インチサイズのサブ表示装置１５０を別途設け、本体１０においてＬＡＮ等から得たデータを本体１０のＶＧＡコネクタ６７及び画像伝送ケーブル１５１を介してサブ表示装置１５０に送るようにするとよい。すなわち、サブ表示装置１５０は、以上の場合、文字を主体としたニュース情報等を扱うものとして位置付けるられる。
【００９５】
サブ表示装置１５０とユーザとの間の距離は、ユーザにもよるが、メイン表示装置３０に表示される文字等のサイズとサブ表示装置１５０に表示される文字等のサイズとがほぼ同じ大きさになるように、メイン表示装置３０とユーザとの間の距離より小さくしてもよいし、見る対象をメイン表示装置３０からサブ表示装置１５０に変える際、又はその逆の際に、視力調節をしなくてもよいように、メイン表示装置３０とユーザとの間の距離とほぼ同じくしてもよい。
【００９６】
サブ表示装置１５０の表示内容の変更は、キーボード１００を操作して行なう。キーボード１００のＩＲ端１０６ａ，１０６ｂ，１０６ｃからは、本体１０に対してサブ表示装置１５０の表示内容の変更を求める信号が出力される。すると、本体１０は、その信号の内容に応じた画像データを本体１０のＶＧＡコネクタ６７及び画像伝送ケーブル１５１を介してサブ表示装置１５０に送る。このキーボード操作の際、ユーザは、図２１に示すように、キーボード１００をサブ表示装置１５０の方向へ向けることが考えられる。このような場合であっても、前述したように、キーボード１００には、それぞれの信号受送信主方向Ｄａ，Ｄｂ，Ｄｃが異なる複数のＩＲ端１０６ａ，１０６ｂ，１０６ｃが設けられているので、キーボード１００から本体１０への赤外線信号を確実に本体１０に送ることができる。
【００９７】
本体１０には、キーボード用ＩＲ端２１の他に、ＩＲ端６３が設けられているので、図２２及び図２３に示すように、電子手帳又はポケットコンピュータ等と呼ばれているＰＤＡ１５５との間で、簡単にデータ交換を行なうことができる。
【００９８】
この情報処理装置は、前述したように、客先でプレゼンテーションを行なうユーザ、例えば、セールスマネージャー、マーケッテイングマネージャー等の要望に応えるものでもある。これは、キーボード１００を本体１０から離すことによって、セールスマネージャー等が離れた位置から表示装置３０を操作することができる点と、比較的大きなサイズである１５インチの高品質ＴＦＴディスプレイ３０を用いているので、三人から六人程度の小グループの客が表示装置３０からある程度離れてしても、各人が明瞭に表示内容を見ることができる点とが、非常に大きい。
【００９９】
このため、高品質で簡単にプレゼンテーションに使用できる。簡単性の観点からは、通常のＰＣの使い方と基本的に同じなので、その使い方をみんなが知っている点も見逃せない。また、高品質なプレゼンテーションを行なうことができるという観点からは、ＴＦＴディスプレー３０によってフルカラー表示できるという点も重要である。また、この情報処理装置は、柔軟性のあるプレゼンテーションを行なうことができる。それは、伝統的なプレゼンテーションソフトウエアーの他、他のアプリケーションソフトウエアー、例えば、モデムを介してＷＷＷ(World Wide Web)とつなぐソフト、テレビ会議を行なうソフト、マルチメディアとつなぐソフト等も使用できるからである。
【０１００】
この情報処理装置は、客先でプレゼンテーションを行なうユーザの要望に応えるべく、その特徴をまとめると、以下のような特徴を備えている。
（１）フルカラー高品質で、比較的広い表示面３２を有し、広視野角ＴＦＴディスプレイ３０を用いていること。
（２）比較的軽量で携帯性があること。
（３）スマートなデザインであること。
（４）キーボード１００が本体１０から着脱自在なワイヤレスキーボードであること。
（５）モデムやＬＡＮ等のコミュニケーションポートが設けられ、これらから情報を得ることができること。
（６）例えば、多数の音響機器等との接続が可能なマルチメディア対応になっていること。
【０１０１】
ここで、表示装置３０が広視野角であることについて、簡単に説明する。
従来の液晶表示装置の視野角Ａは、６０°程度で、大きくても９０°どまりであった。このため、図２０に示すように、表示装置から、例えば、８feet離れた位置において、９feet、大きくても１２feetの幅の範囲にいる者しか、表示装置の表示内容を見ることができない。一方、この実施形態の表示装置３０は、その視野角Ａが前述したように１６０°である。このため、表示装置３０から８feet離れた位置において、９０feetの幅の範囲にいる者でも見ることができる。従って、従来、たとえ、表示面積がこの実施形態の表示装置３０と同じ液晶表示装置を用いたとしても、この実施形態の表示装置３０の方が、より多くの者に表示内容を見せることができる。
【０１０２】
この情報処理装置は、スタイルや大きさに敏感なユーザ、例えば、仕事上、スタイルを気にするアーキテクトデザイナー、グラフィックデザイナー、ウェブ(Web)デザイナー、会社の重役等の要望にも応えるものである。
【０１０３】
これは、図２３に示すように、省スペース化によって、机上をきれいにすることができる（図４０の従来技術に対して）こと、さらには、洗練されたデザインであることが大きい。これらの要素は、スマートなオフィス環境を作る上で重要な要素である。また、高性能プラットフォームを採用していること、具体的には、高性能ＣＰＵ１１が設けられ、最新のＯＳ（Operating System)、例えば、Windows NT(米国マイクロソフト社の登録商標)が組み込まれていることも大きい。
【０１０４】
この情報処理装置は、スタイルや大きさに敏感なユーザの要望に応えるべく、その特徴をまとめると、以下のような特徴を備えている。
（１）洗練された省スペース工業デザインであること。
（２）高性能であること。
（３）大フラットパネルディスプレイ３０とワイヤレスキーボード１００とを用いていること。
（４）モデムやＬＡＮ等のコミュニケーションポートが設けられ、これらから情報を得ることができること。
（５）例えば、多数の音響機器等との接続が可能なマルチメディア対応になっていること。
【０１０５】
また、この情報処理装置は、家と職場とで又は異なる複数の職場で仕事をしなければならないユーザ、例えば、エンジニア、会計士、コンサルタント等の要望にも応えるものでもある。
【０１０６】
これは、この情報処理装置が、基本的には移動しないで使用する者を対象にしているものの、場合によっては携帯も可能であること、多種多様なコミュニケーション能力を備えていることが大きい。さらに、高性能ノートブック型を十分に越える性能を有していること、具体的には、高性能ＣＰＵ１１を備え、最新のＯＳ、例えば、Windows NT(米国マイクロソフト社の登録商標)が組み込まれ、１５インチＴＦＴディスプレイ３０とテンキー付きフルサイズキーボード１００とを備えていることも大きい。
【０１０７】
この情報処理装置は、在宅勤務者等のユーザの要望に応えるべく、その特徴をまとめると、以下のような特徴を備えている。
（１）比較的軽量であること。
（２）高性能であること。
（３）大フラットパネルディスプレイ３０とワイヤレスのテンキー付きフルサイズキーボード１００を用いていること。
（４）モデムやＬＡＮ等のコミュニケーションポートが設けられ、これらとの間で情報の受送信ができること。
【０１０８】
次に、本発明に係る第２の実施形態としての情報処理装置について、図２４〜図３１を用いて説明する。
この実施形態の情報処理装置は、図２４及び図２５に示すように、各種演算を実行するＣＰＵが搭載されている本体１０ｓと、本体１０ｓでの処理結果等を表示する表示装置３０と、本体１０ｓに対して着脱自在なキーボード１００ｓと、マウス２００とを備えている。本体１０ｓと表示装置３０とは、第１の実施形態と同様に、連結機構９０ｓで連結されている。
【０１０９】
本体１０ｓは、ＣＰＵや各種回路基板等を覆う本体カバー４０ｓと、複数の赤外線受光素子１８１ａ，１８１ｂ，１８１ｃと、インジケータ１９９と、スピーカー２４ｓ，２４ｓと、フロッピーディスク駆動装置１６ｓ、ＣＤ−ＲＯＭ駆動装置１７ｓ、ＰＣカードスロット１８ｓを有している。本体カバー４０ｓは、前面(接続端面）４１ｓ、背面、上面４４ｓ、底面、両側面４６ｓ，４７ｓを有している。本体カバー４０ｓの前面４１ｓには、その中央上部にインジケータ１９９が設けられ、その両側側に連結ピン挿入孔４３ｓ，４３ｓ及びスピーカー２４ｓ，２４ｓが設けられている。さらに、本体カバー４０ｓの前面４１ｓの中央には、開口４２ｓ(図２５に示す。）が形成されており、この開口４２ｓが素子保護カバー１８２で塞がれている。中央部の赤外線受光素子１８１ａは、この素子保護カバー１８２の内側に設けられている。なお、この素子保護カバー１８２は、赤外線に対して透明である。本体カバー４０ｓの右側面４６ｓには、フロッピーディスク駆動装置１６ｓ、ＣＤ−ＲＯＭ駆動装置１７ｓ、ＰＣカードスロット１８ｓが設けられている。さらに、本体カバー４０ｓの右側面４６ｓには、図２６及び図２７に示すように、外側に向うに連れて次第に広がって行く開口４８ｓが形成されている。この開口４８ｓから赤外線受光素子１８１ｂの受光部１８３が露出している。この開口４８ｓは、赤外線受光素子１８１ｂを中心として前面側は、開口の広がり方が大きく、赤外線受光素子１８１ｂを中心として背面側は、開口の広がり方が小さい。言い換えると、赤外線受光素子１８１ｂを中心として前面側の開口面は、平坦な右側面４６ｓに対して比較的大きな鈍角を成し、赤外線受光素子１８１ｂを中心として背面側の開口面は、平坦な右側面４６ｓに対して直角又は直角よりわずかに大きい鈍角を成している。すなわち、この開口４８ｓは、前方やや右側からの赤外線信号の受信性能を高める信号指向ガイド部４８ｓを形成している。また、本体カバー４０ｓの左側面４７ｓにも、図２５に示すように、右側面４６ｓと同様、前方やや左側からの赤外線信号の受信性能を高める信号指向ガイド部４８ｓが形成されており、ここに赤外線受光素子１８１ｃの受光部が露出している。
【０１１０】
本体は、以上の他、図３０に示すように、三つの赤外線受光素子１８１ａ，１８１ｂ，１８１ｃからの電気信号の論理和をとるＯＲゲート１８４と、このＯＲゲート１８４からの信号が入力するキーボードコントローラ(信号制御手段）１８５と、キーボード１００ｓやマウス２００や他の機器の識別コードをそれぞれ設定する識別コード設定スイッチ１８６ａ，１８６ｂ、１８６ｃと、ＣＰＵやメモリ等と信号接続するためのバス１８７とを有している。
表示装置３０は、図２４及び図２５に示すように、ＴＦＴ表示パネル３１と、これを覆う表示パネルカバー３４とを備えている。
【０１１１】
キーボード１００ｓは、図２４及び図２５に示すように、複数のキー１０１と、複数の赤外線発光素子１７１ａ，１７１ｂ，１７１ｃ，１７１ｄと、キーボード回路基板等を覆うキーボードカバー１２０ｓと、電池１０７を収納する電池収納部１０７ｓと、本体１０ｓと連結するための本体連結機構１１６ｓと備えている。キーボードカバー１２０ｓは、上面１２１ｓ、背面(接続端面)１２２ｓ、前面１２３ｓ、両側面１２４ｓ，１２４ｓ、下面を有している。キーボードカバー１２０ｓの上面１２１ｓからは、複数のキー１０１が露出している。キーボードカバー１２０ｓの背面１２２ｓには、図２８及び図２９に示すように、その中央部に横方向に広がった開口１２５ｓが形成されていると共に、その両側側に本体１０ｓとの連結のための連結ピン１２６ｓ、１２６ｓが設けられている。この開口１２５ｓは、素子保護カバー１７２で塞がれている。この素子保護カバー１７２の内側に、四つの赤外線発光素子１７１ａ，１７１ｂ，１７１ｃ，１７１ｄが横方向に並べられ、且つ各信号送信主方向が僅かずつ互いに異なるように設けられている。
【０１１２】
キーボード１００ｓは、以上の他、図３０に示すように、キーボード回路部１１１と、複数の赤外線発光素子１７１ａ，１７１ｂ，１７１ｃ，１７１ｄの電源制御や信号制御等を行う制御部１１３ｓと、キーボード１００ｓの識別コードを設定する識別コード設定スイッチ１７６とを有している。
【０１１３】
マウス２００は、図３０に示すように、複数の赤外線発光素子２０１ａ，２０１ｂと、電池２０７を収納する電池収納部２０７ｓと、自身の移動量を検出するエンコーダ２１１と、マウス２００の識別コードを設定する識別コード設定スイッチ２１６と、これらを収納するマウスカバー２０４(図２５に示す。）と、クリックボタン２１２とを有している。マウスカバー２０４の上面には、図２４及び図２５に示すように、クリックボタン２１２が設けられている。また、マウスカバー２０４の背面には、開口２０５が形成されている。この開口２０５は、素子保護カバー２０２で塞がれている。この素子保護カバー２０２の内側に、二つの赤外線発光素子２０１ａ，２０１ｂが横方向に並べられ、且つ各信号送信主方向が互いに異なるように設けられている。
【０１１４】
キーボード１００ｓ及びマウス２００の各識別コード設定スイッチ１７６，２１６の操作端は、図２５に示すように、それぞれの電池収納部１０７ｓ，２０７ｓの内壁から露出しており、電池収納部１０７ｓ，２０７ｓに電池１０７，２０７を収納していない際に、操作することができるようになっている。
【０１１５】
次に、この実施形態における情報処理装置の動作及び使用態様について説明する。
ユーザーは、この情報処理装置の使用開始に当たり、キーボード１００ｓ及びマウス２００の各識別コード設定スイッチ１７６，２１６を操作して、それぞれの識別コードを設定する。識別コードは、この実施形態においては、３ビット表示であり、例えば、キーボード１００ｓの識別コードとしては、「００１」を設定し、マウスの識別コードとしては、「０１０」を設定する。また、本体１０ｓに関しても、キーボード識別コード設定スイッチ１８６ａ及びマウス識別コード設定スイッチ１８６ｂを操作して、キーボード１００ｓ及びマウス２００の識別コードを設定する。
【０１１６】
本体１０ｓとキーボード１００ｓとが離れている際に、キーボード１００ｓのキー１０１を操作すると、このキー操作に対応した赤外線信号がキーボード１００ｓの各赤外線発光素子１７１ａ，１７１ｂ，１７１ｃ，１７１ｄから送信される。この赤外線信号のデータ構造１６０は、図３１に示すように、１ビットのスタートビット１６１と、キーボード１００ｓの識別コード設定スイッチ１７６の操作で識別コードが設定される３ビットのキーボード識別コードビット１６２と、キー操作に対応したスキャンコードビット１６３と、１ビットのパリティビット１６４と、２ビットのパラメータビット１６５と、１ビットのエンドビット１６６の合計１６ビットで構成されている。なお、各領域のビット数は、一例であり、本発明を限定するものではない。各赤外線発光素子１７１ａ，１７１ｂ，１７１ｃ，１７１ｄからは、同じデータの赤外線信号が瞬時に数回送信される。但し、パラメータビット１６５には送信回数が設定されるので、数回に渡って送信される各赤外線信号のデータのうち、パラメータビット１６５のみ、各回毎に変わる。このように、基本的に同じデータの赤外線信号を数回に渡って送信するのは、１回目の送信で本体が受信できない場合でも、後の送信で本体が受信できる場合があるので、同じデータの赤外線信号を本体が受信できる機会を多くして、できる限り通信障害を回避するためである。
【０１１７】
キーボード１００ｓの各赤外線発光素子１７１ａ，１７１ｂ，１７１ｃ，１７１ｄから送信された赤外線信号は、本体１０ｓのいずれかの赤外線受光素子１８１ａ，１８１ｂ，１８１ｃで受信される。本体１０ｓの赤外線受光素子１８１ａ，１８１ｂ，１８１ｃからの電気信号は、ＯＲゲート１８４を通って、キーボードコントローラ１８５に送られる。このため、本体１０ｓの複数の赤外線受光素子１８１ａ，１８１ｂ，１８１ｃのうち、いずれか一つまたは二つでも、赤外線信号を受信すると、この信号はキーボードコントローラ１８５に送られる。キーボードコントローラ１８５は、この信号の識別コードを調べ、本体１０ｓのキーボード識別コード設定スイッチ１８６ａで設定された識別コードと同一であれば、特定のキーボード１００ｓからの信号であるとして、これをバス１８７を介してＣＰＵ等に送る。また、ＯＲゲート１８４から送られてきた信号が、本体１０ｓのマウス識別コード設定スイッチ１８６ｂ又は予備識別コード設定スイッチ１８６ｃで設定された識別コードと同一であれば、特定のマウス２００または特定の他の機器からの信号であるとして、これをバス１８７を介してＣＰＵ等に送る。また、ＯＲゲート１８４から送られてきた信号が、本体１０ｓのキーボード識別コード設定スイッチ１８６ａ、マウス識別コード設定スイッチ１８６ｂ又は予備識別コード設定スイッチ１８６ｃのいずれかで設定された識別コードと同じでなければ、又は識別コードを認識できなければ、この信号を無視し、ＣＰＵ等へは送らない。なお、受信した信号に識別コードが設定されておらず、識別コードを認識できない場合には、この信号は、識別コードが設定されていない特定の機器から送られてきたものとして、この信号をＣＰＵ等へ送ってもよい。
【０１１８】
本体１０ｓにキーボード１００ｓが装着されている際には、第１の実施形態と同様に、本体１０ｓの中央の受光素子１８１ａと向い合っている発光素子１７１ｂのみを駆動し、本体１０ｓとキーボード１００ｓとの間の通信は、本体１０ｓの中央の受光素子１８１ａとこれに向い合っているキーボード１００ｓの発光素子１７１ｂとの間で通信を実行するようにすることが好ましい。
【０１１９】
マウス２００を移動させると、又はマウス２００のクリックボタン２１２を操作すると、このマウス操作に対応した赤外線信号がマウス２００の各赤外線発光素子２０１ａ，２０１ｂから送信される。この赤外線信号のデータ構造は、前述したキーボード１００ｓからの赤外線信号のデータ構造と同様に、マウス２００の識別コード設定スイッチ２１６の操作で識別コードが設定される３ビットのマウス識別コードビットを含んでいる。各赤外線発光素子２０１ａ，２０１ｂからは、キーボード１００ｓと同様に、同じデータの赤外線信号が瞬時に数回送信される。
【０１２０】
マウス２００の各赤外線発光素子２０１ａ，２０１ｂから送信された赤外線信号は、本体１０ｓのいずれかの赤外線受光素子１８１ａ，１８１ｂ，１８１ｃで受信され、それぞれが電気信号に変換されてから、ＯＲゲート１８４を通って、キーボードコントローラ１８５に送られる。このため、本体１０ｓの複数の赤外線受光素子１８１ａ，１８１ｂ，１８１ｃのうち、いずれか一つまたは二つでも、赤外線信号を受信すると、この信号はキーボードコントローラ１８５に送られる。本体１０ｓのキーボードコントローラ１８５は、キーボード１００ｓからの信号と同様、この信号の識別コードを調べ、本体１０ｓのマウス識別コード設定スイッチ１８６ｂで設定された識別コードと同一であれば、特定のマウス２００からの信号であるとして、これをバス１８７を介してＣＰＵ等に送る。
【０１２１】
以上のように、この実施形態では、キーボード１００ｓ及びマウス２００には、それぞれ、向きの異なる複数の赤外線発光素子が設けられ、本体１０ｓには、それぞれ、向きの異なる複数の赤外線受光素子が設けられているので、本体１０ｓとキーボード１００ｓとの間、又は本体１０ｓとマウス２００との間に、異物が存在していても、いずれかの発光素子からの赤外線信号が本体１０ｓのいずれかの受光素子で受信される可能性が高く、しかも、キーボード１００ｓ及びマウス２００からは実質的に同じデータの信号が数回に渡って発信されるので、本体１０ｓとキーボード１００ｓとの間及び本体１０ｓとマウス２００との間での通信障害を最小限に抑えることができる。特に、マウス２００は、移動させて使用するので、移動過程のマウス２００と本体１０ｓとの間に異物等が存在してしまったり、本体１０ｓに対する向きが変わったりすることがあるので、マウス２００と本体１０ｓとの関係で以上のような構成は、非常に意味がある。また、マウス２００と本体１０ｓの以上のような構成によれば、図３２に示すように、キーボード１００ｓを中心としてマウス２００を左側において操作することも可能なので、左利きの者に対して、マウス２００の使い勝手が向上するとも言える。
【０１２２】
また、この実施形態の情報処理装置は、以上のような効果を有するがゆえに、例えば、営業者が客先で行うプレゼンテーション等も容易に行うことができる。
【０１２３】
例えば、図３３に示すように、本体１０ｓ及び表示装置３０を中心として、表示装置３０の表示画面の正面及び正面からやや右側に客Ｂ，Ｃが配され、本体１０ｓの左側に、営業者Ａ、さらにこの営業者Ａが操作するキーボード１００ｓ及びマウス２００が配されるようなケースは、プレゼンテーション等でよくあるケースである。このようなケースであっても、キーボード１００の複数の発光素子のうちの主信号送信方向がやや左側を向いている発光素子１７１ｃと、本体１０ｓの複数の受光素子のうちの左側の受光素子１８１ｃとの通信が主に確保され、マウス２００の複数の発光素子のうちの主信号送信方向がやや右側を向いている発光素子２０１ｂと、本体１０ｓの複数の受光素子のうちの中央の受光素子１８１ａとの通信が主に確保される。
【０１２４】
すなわち、この実施形態では、本体１０ｓとキーボード１００ｓとの位置関係、及び本体１０ｓとマウス２００との位置関係がほとんど限定されずに、これらを使用することができる。
【０１２５】
次に、本発明に係る第３の実施形態としての情報処理装置について、図３４を用いて説明する。
この実施形態の情報処理装置は、本体１０ｔの信号受信手段の形態が第２の実施形態と異なっているのみで、本体１０ｔのその他の構成、キーボード１００ｓ及びマウス２００の構成は第２の実施形態と同様である。
【０１２６】
この実施形態において、本体１０ｔの信号受信手段は、一つの赤外線受光素子１８１と、光ガイドとしての三つの光ファイバ１８８ａ，１８８ｂ，１８８ｃとを有している。各光ファイバ１８８ａ，１８８ｂ，１８８ｃは、一方の端部が光入力部１８８ａｉ，１８８ｂｉ，１８８ｃｉを形成し、他方の端部が光出力部１８８ａｏ，１８８ｂｏ，１８８ｃｏを形成している。三つの光ファイバ１８８ａ，１８８ｂ，１８８ｃの各光入力部１８８ａｉ，１８８ｂｉ，１８８ｃｉは、それぞれ、本体カバーの正面、右側面、左側面から露出され、三つの光ファイバ１８８ａ，１８８ｂ，１８８ｃの各光出力部１８８ａｏ，１８８ｂｏ，１８８ｃｏは、それぞれが出力する光がほぼ一箇所に集まるように配置されている。一つの赤外線受光素子１８１は、三つの光ファイバ１８８ａ，１８８ｂ，１８８ｃの各出力部１８８ａｏ，１８８ｂｏ，１８８ｃｏが集まっている箇所に設けられている。
【０１２７】
以上のように、本体１０ｔの信号受信手段を構成しても、本体１０ｔは、互いに異なる複数の位置で赤外線信号を受信できるので、第２の実施形態と同様の効果を得ることができる。
【０１２８】
さらに、この実施形態では、三つの光ファイバ１８８ａ，１８８ｂ，１８８ｃを使用するものの、赤外線受光素子１８１を一つしか使用していないため、その駆動回路も一つで済む上に、第２の実施形態におけるＯＲゲート１８４の役割を一つの赤外線受光素子１８１が担い、ＯＲゲート１８４が不要であるので、第２の実施形態よりも製造コストを抑えることができる。また、光ファイバは自由に長さ調整できると共に比較的自由に曲げることもできるので、一つの赤外線受光素子及びその駆動回路を本体ケース中の適当な位置に配することができ、本体ケース内のレイアウトの自由度を高めることもできる。
【０１２９】
次に、本発明に係る第４の実施形態としての情報処理装置について、図３５及び図３６を用いて説明する。
この実施形態の情報処理装置も、図３５に示すように、本体１０ｕの信号受信手段の形態が第２の実施形態と異なっているのみで、本体１０ｕのその他の構成、キーボード１００ｓ及びマウス２００の構成は第２の実施形態と同様である。
【０１３０】
この実施形態において、本体１０ｕの信号受信手段は、一つの赤外線受光素子１８１と、一つの光ガイド１９０とを有している。光ガイド１９０は、一次元的な広がりのある光入力部１９０ｉと、光入力部１９０ｉからの光を出力する光出力部１９０ｏと、光入力部１９０ｉのいずれの位置で入射した赤外線信号も全て光出力部１９０ｏに導く光ガイド部１９０ｇとを有している。光出力部１９０ｏのところには、赤外線受光素子１８１が設けられている。光ガイド部１９０ｇには、表面に反射材１９１が施されている。光入力部１９１ｉは、図３６に示すように、本体カバー４０ｕの正面４１ｕ及び両側面４６ｕ，４７ｕから露出している。キーボード１００ｓまたはマウス２００から送信された赤外線信号は、本体１０ｕの光ガイド１９０の光入力部１９０ｉのいずれかの箇所に入力すると、光ガイド部１９０ｇの境界面を反射しつつ光出力部１９０ｏに導かれ、赤外線受光素子１８１に至る。
【０１３１】
以上のように、本体１０ｕの信号受信手段を構成しても、本体１０ｕは、異なる複数の位置で赤外線信号を受信できるので、第２の実施形態と同様の効果を得ることができる。
【０１３２】
さらに、この実施形態では、第３の実施形態と同様に、赤外線受光素子１８１を一つしか使用していないため、その駆動回路も一つで済む上に、第２の実施形態におけるＯＲゲート１８４の役割を一つの光ガイド１９０が担い、ＯＲゲート１８４が不要であるので、回路構造の簡略化を図ることができる。
【０１３３】
なお、光ガイドの形態としては、例えば、光入力部が二次元的に広がっているもの、また、光入力部の断面形状を鋸歯形状にして、この光入力部から入射した赤外線信号が特定の方向に向うようにしているもの等、各種形態が考えられる。
【０１３４】
次に、本発明に係る情報処理装置の第５の実施形態について、図３７を用いて説明する。
この実施形態の情報処理装置は、第４の実施形態の変形例であり、キーボード１００ｓ及びマウス２００の構成は第２の実施形態と同様である。
【０１３５】
この実施形態において、本体１０ｖの信号受信手段は、二つの光ガイド１９０ａ，１９０ｂと、二つの赤外線受光素子１８１ａ，１８１ｂと、一つのＯＲゲート１８４とを有している。二つの光ガイド１９０ａ，１９０ｂは、第４の実施形態の光ガイド１９０と同様に、一次元的な広がりのある光入力部１９０ａｉ，１９０ｂｉと、光入力部１９０ａｉ，１９０ｂｉからの光を出力する光出力部１９０ａｏ，１９０ｂｏと、光入力部１９０ａｉ，１９０ｂｉのいずれの位置で入射した赤外線信号も全て光出力部１９０ａｏ，１９０ｂｏに導く光ガイド部１９０ａｇ，１９０ｂｇとを有している。光ガイド部１９０ａｇ，１９０ｂｇには、表面に反射材１９１ａ，１９１ｂが施されている。一方の光ガイド１９０ａの光入力部１９１ｉは、本体カバーの正面及び右側面から露出しており、他方の光ガイド１９０ｂの光入力部１９０ｂｉは、本体カバーの正面及び左側面から露出している。各光ガイド１９０ａ，１９０ｂの光出力部１９０ａｏ，１９０ｂｏのところには、赤外線受光素子１８１ａ，１８１ｂが設けられている。二つの赤外線受光素子１８１ａ，１８１ｂの出力側には、ＯＲゲート１８４が設けられている。キーボード１００ｓまたはマウス２００から送信された赤外線信号は、本体１０ｖのいずれかの光ガイド１９０ａ，１９０ｂの光入力部１９０ａｉ，１９０ｂｉのいずれかの箇所に入力すると、光ガイド部１９０ａｇ，１９０ｂｇの境界面を反射しつつ光出力部１９０ａｏ，１９０ｂｏに導かれ、赤外線受光素子１８１ａ，１８１ｂに至る。各赤外線素子１８１ａ，１８１ｂからの電気信号は、ＯＲゲート１８４を通って、キーボードコントローラ１８５に至る。
【０１３６】
以上のように、本体１０ｕの信号受信手段を構成しても、本体１０ｕは、異なる複数の位置で赤外線信号を受信できるので、第２の実施形態と同様の効果を得ることができる。
【０１３７】
なお、この実施形態では、二つの光ガイド１９０ａ，１９０ｂのほかに、二つの赤外線受光素子１８１ａ，１８１ｂと一つのＯＲゲート１８４を用いたが、各光ガイド１９０ａ，１９０ｂの光出力部１９１ａｏ，１９０ｂｏを一箇所にまとめて、そこに一つの赤外線素子を設けても、又は、各光ガイド１９０ａ，１９０ｂの各光出力部１９０ａｏ，１９０ｂｏにそれぞれ光ファイバを接続し、この光ファイバの端部を一箇所にまとめて、そこに一つの赤外線素子を設けてもよい。
【０１３８】
ところで、以上の全ての実施形態では、キーボードまたはマウスからの赤外線信号に対する受信手段を本体に設けたが、図３８に示すように、本体１０ｗに対して揺動可能に設けられている表示装置３０ｗに設けてもよい。この場合、表示パネルカバー３４ｗの複数の面のうち、表示パネル３１の表示面と同じ側の面である正面３５ｗに、主として受信手段の赤外線受光部又は赤外線光入力部１９０ｉを設けることが好ましい。
【０１３９】
また、以上の全ての実施形態は、いずれも、キーボードが本体に着脱可能で、表示装置が本体に揺動可能に取り付けられているものであるが、図３９に示すように、本体１０ｘ、表示装置３０ｘ、キーボード１００ｘが完全に分離されているセパレート型のものに、本発明を適用してもよい。この場合、一般的に、本体１０ｘよりも表示装置３０ｘの方がキーボード１００ｘと対向する位置に配されることが多いので、本体１０ｘではなく、表示装置３０ｘに受信手段１９０を設けることが好ましい。この場合も、表示カバー３４ｘの正面３５ｘに、受信手段１９０の赤外線受光部又は赤外線光入力部１９０ｉを設けることが好ましい。
【０１４０】
なお、図３８及び図３９では、いずれも、第３の実施形態における光ガイド１９０を用いているが、この換わりに、第２の実施形態と同様に、複数の赤外線受光素子を用いてもよい。
【０１４１】
【発明の効果】
本発明によれば、本体または表示装置が、入力装置からの無線信号を複数箇所で受信することができるので、本体または表示装置と入力装置との間に異物が存在しても、また、本体または表示装置に対する入力装置の向きが変わっても、これらの起因する両者間の通信障害を回避することができる。
【０１４２】
また、識別コード設定手段を有するものでは、受信した信号がどのような機器からの信号であるかを判別できるので、他の機器との混信を回避することができる。また、電源制御手段を有するものでは、使用しなくてもよい送信手段への電力を断つことができるので、消費電力を削減することができる。
【図面の簡単な説明】
【図１】本発明に係る第１の実施形態としての情報処理装置の平面図（表示装置が閉状態）である。
【図２】本発明に係る第１の実施形態としての情報処理装置の平面図（表示装置が取り外されている状態）である。
【図３】本発明に係る第１の実施形態としての情報処理装置の平面図（本体のトップカバーが取り外されている状態）である。
【図４】本発明に係る第１の実施形態としての情報処理装置の右側面図（表示装置が閉状態）のである。
【図５】本発明に係る第１の実施形態としての情報処理装置の要部切欠き右側面図（表示装置が閉状態）である。
【図６】本発明に係る第１の実施形態としての情報処理装置の要部切欠き右側面図（表示装置が開状態）である。
【図７】本発明に係る第１の実施形態としての表示装置の動作説明図である。
【図８】本発明に係る第１の実施形態としてのＣＰＵ回りの側面図である。
【図９】本発明に係る第１の実施形態としての情報処理装置の正面図（表示装置が閉状態）である。
【図１０】本発明に係る第１の実施形態としての情報処理装置の正面図（キーボードが取り外されている状態）である。
【図１１】本発明に係る第１の実施形態としての情報処理装置の要部切欠き正面図である。
【図１２】本発明に係る第１の実施形態としての情報処理装置の背面図である。
【図１３】本発明に係る第１の実施形態としての表示装置の正面図である。
【図１４】本発明に係る第１の実施形態としての表示装置の側面図である。
【図１５】本発明に係る第１の実施形態としてのキーボード及びパームレストの平面図である。
【図１６】本発明に係る第１の実施形態としてのキーボード及びパームレストの側面図である。
【図１７】本発明に係る第１の実施形態としてのパームレストの接続動作説明図である。
【図１８】本発明に係る第１の実施形態としてキーボードの回路ブロック図のである。
【図１９】本発明に係る第１の実施形態としての情報処理装置における冷却空気の流れを示す説明図である。
【図２０】表示装置の視野角を説明するための説明図である。
【図２１】本発明に係る第１の実施形態としての情報処理装置の使用状態を示す説明図（その１）である。
【図２２】本発明に係る第１の実施形態としての情報処理装置の使用状態を示す説明図（その２）である。
【図２３】本発明に係る第１の実施形態としての情報処理装置の使用状態を示す説明図（その３）である。
【図２４】本発明に係る第２の実施形態としての情報処理装置の斜視図である。
【図２５】本発明に係る第２の実施形態としての情報処理装置の平面図である。
【図２６】本発明に係る第２の実施形態としての情報処理装置本体の要部側面図である。
【図２７】図２６におけるＡ−Ａ線断面図である。
【図２８】本発明に係る第２の実施形態としてのキーボードの平面図である。
【図２９】本発明に係る第２の実施形態としてのキーボードの背面図である。
【図３０】本発明に係る第２の実施形態としての情報処理装置の回路ブロック図である。
【図３１】本発明に係る第２の実施形態としての無線信号のデータ構造を示す説明図である。
【図３２】本発明に係る第２の実施形態としての情報処理装置の使用態様を示す説明図である。
【図３３】本発明に係る第２の実施形態としての情報処理装置の他の使用態様を示す説明図である。
【図３４】本発明に係る第３の実施形態としての情報処理装置の回路ブロック図である。
【図３５】本発明に係る第４の実施形態としての情報処理装置の回路ブロック図である。
【図３６】本発明に係る第４の実施形態としての情報処理装置の斜視図である。
【図３７】本発明に係る第５の実施形態としての情報処理装置の回路ブロック図である。
【図３８】本発明に係る第６の実施形態としての情報処理装置の斜視図である。
【図３９】本発明に係る第６の実施形態としての情報処理装置の斜視図である。
【図４０】従来の情報処理装置の使用状態を示す説明図である。
【符号の説明】
１０、１０ｓ，１０ｔ，１０ｕ，１０ｖ，１０ｗ，１０ｘ…本体、１１…ＣＰＵ、１２…ＣＰＵボード、１３…ＡＣ／ＤＣ回路、２１…キーボード用ＩＲ端、２１ｂ…信号制御部、２５…ＣＰＵ冷却ファン、２８…金属ブラケット、２９…部品冷却ファン、３０，３０ｗ，３０ｘ…表示装置、３１…ＴＦＴ表示パネル、３２…有効表示面、３４、３４ｗ…表示パネルカバー、３５…先端部、３６…基端部、４０…本体カバー、４１，４１ｓ…本体カバー前面、４２，４２ｓ…本体カバー背面、４４，４４ｓ…本体カバー上面、４５…揺動アーム収納凹部、４６，４６ｓ…本体カバー右側面、４７，４７ｓ…本体カバー左側面、４８…本体カバー底面、４１ａ…爪挿入孔、４１ｂ…突起嵌入穴、４８ｓ…信号指向ガイド部、５７…給電コネクタ、８０…ＣＰＵ用通気流路、８１…ＣＰＵ冷却空気取入口、８２…第１のＣＰＵ熱排気口、８３…第２のＣＰＵ熱排気口、８４…仕切り板、８５…部品用通気流路、８６…部品熱排気口、８７…冷却フィン、８７ｂ…ファン収納部、８８…放熱板、９０…連結機構、９１…ガイド部材、９２…スライダー部材、９３…揺動アーム、９５…第１揺動軸、９６…第２揺動軸、９７…第３揺動軸、１００，１００ｓ，１００ｘ…キーボード、１０１ａ…アルファーニユーメリックキー群、１０２ａ…ファンクションキー群、１０３ａ…テンキー群、１０５…装着検知センサ、１０６ａ，１０６ｂ，１０６ｃ…ＩＲ端、１０７…１次電池、１０７ａ，１０７ｓ…１次電池収納部、１０８…２次電池、１０９…受電コネクタ、１１０…パームレスト接続コネクタ、１１１…キーボード回路部、１１２…セレクタスイッチ、１１３，１１３ｓ…制御部、１１３ａ…電源制御部、１１３ｂ…信号制御部、１１６…本体連結機構、１２６…パームレスト連結機構、１４０…パームレスト、１４１…トラックパッド、１５０…サブ表示装置、１５５…ＰＤＡ、１７１ａ，１７１ｂ，１７１ｃ，１７１ｄ…キーボードの赤外線発光素子、１７６…キーボードの識別コード設定スイッチ、１８１ａ，１８１ｂ，１８１ｃ…本体の赤外線受光素子、１８４…ＯＲゲート、１８５…キーボードコントローラ(信号制御手段）、１８６ａ，１８６ｂ，１８６ｃ…本体の識別コード設定スイッチ、１８８ａ，１８８ｂ，１８８ｃ…光ファイバ(光ガイド）、１９０，１９０ａ，１９０ｂ…光ガイド、１８８ａｉ，１８８ｂｉ，１８８ｃｉ，１９０ｉ，１９０ａｉ，１９０ｂｉ…光入力部、１８８ａｏ，１８８ｂｏ，１８８ｃｏ，１９０ｏ，１９０ａｏ，１９０ｂｏ…光出力部、２００…マウス、２０１ａ，２０１ｂ…マウスの赤外線発光素子、２１１…エンコーダ、２１２…クリックボタン、２１３…マウスの制御部、２１６…マウスの識別コード設定スイッチ。
【図１】
0003712318.tif 000002
【図２】
0003712318.tif 000003
【図３】
0003712318.tif 000004
【図４】
0003712318.tif 000005
【図５】
0003712318.tif 000006
【図６】
0003712318.tif 000007
【図７】
0003712318.tif 000008
【図８】
0003712318.tif 000009
【図９】
0003712318.tif 000010
【図１０】
0003712318.tif 000011
【図１１】
0003712318.tif 000012
【図１２】
0003712318.tif 000013
【図１３】
0003712318.tif 000014
【図１４】
0003712318.tif 000015
【図１５】
0003712318.tif 000016
【図１６】
0003712318.tif 000017
【図１７】
0003712318.tif 000018
【図１８】
0003712318.tif 000019
【図１９】
0003712318.tif 000020
【図２０】
0003712318.tif 000021
【図２１】
0003712318.tif 000022
【図２２】
0003712318.tif 000023
【図２３】
0003712318.tif 000024
【図２４】
0003712318.tif 000025
【図２５】
0003712318.tif 000026
【図２６】
0003712318.tif 000027
【図２７】
0003712318.tif 000028
【図２８】
0003712318.tif 000029
【図２９】
0003712318.tif 000030
【図３０】
0003712318.tif 000031
【図３１】
0003712318.tif 000032
【図３２】
0003712318.tif 000033
【図３３】
0003712318.tif 000034
【図３４】
0003712318.tif 000035
【図３５】
0003712318.tif 000036
【図３６】
0003712318.tif 000037
【図３７】
0003712318.tif 000038
【図３８】
0003712318.tif 000039
【図３９】
0003712318.tif 000040
【図４０】
0003712318.tif 000041